(57)【要約】  システム情報送信、取得方法、装置及び通信システムが提供される。該システム情報送信装置は、第一BWP上でページングメッセージを送信し、該ページングメッセージにはシステム情報の変更を指示する指示情報が含まれる第一送信ユニット；及び、第二BWP上で、更新されるシステム情報を送信する第二送信ユニットを含み、該第一BWPは、該第二BWPとは異なる。これにより、異なるBWP上でページングメッセージ及び更新されるシステム情報を送信することで、システムにおいて、更新されるシステム情報を送信するためのシグナリングオーバーヘッドを節約することができる。
2021507572.tif 000002
【特許請求の範囲】
【請求項１】
システム情報送信装置であって、
第一BWP上でページングメッセージを送信する第一送信ユニットであって、前記ページングメッセージにはシステム情報の変更を指示する指示情報が含まれる第一送信ユニット；及び
第二BWP上で、更新されるシステム情報を送信する第二送信ユニットを含み、
前記第一BWPは、前記第二BWPとは異なる、装置。
【請求項２】
請求項1に記載の装置であって、
端末装置に第一指示情報を送信する第三送信ユニットをさらに含み、
前記第一指示情報は、前記端末装置に前記第二BWPを指示するために用いられる、装置。
【請求項３】
請求項1に記載の装置であって、
端末装置送信の第一メッセージを受信する第一メッセージ受信ユニットをさらに含み、
前記第一メッセージは、前記第二BWPを指示するために用いられる、装置。
【請求項４】
請求項1に記載の装置であって、
端末装置送信の第二メッセージを受信する第二メッセージ受信ユニットをさらに含み、
前記第二メッセージは、前記端末装置が前記第二BWPにハンドオーバーすること、又は、前記端末装置が前記第二BWPをアクティブにすることを指示するために用いられる、装置。
【請求項５】
請求項1に記載の装置であって、
前記第二BWP上でデータを送信する第四送信ユニットをさらに含む、装置。
【請求項６】
請求項1に記載の装置であって、
前記ページングメッセージはさらに、前記端末装置が所定期間後に前記更新されるシステム情報を受信することを指示するために用いられる、装置。
【請求項７】
請求項6に記載の装置であって、
前記所定期間は、前記ページングメッセージにより指示され、又は、前記所定期間は、定義又は事前設定される、装置。
【請求項８】
請求項6に記載の装置であって、
前記ページングメッセージはさらに、前記端末装置が所定期間後に前記第二BWPにハンドオーバーし又は前記第二BWPをアクティブにし、また、前記第二BWP上で前記更新されるシステム情報を受信することを指示するために用いられる、装置。
【請求項９】
請求項7に記載の装置であって、
前記ページングメッセージに含まれる所定期間は、少なくとも1つの他のBWP上で送信されるページングメッセージに含まれる所定期間と同じであり又は異なる、装置。
【請求項１０】
請求項1に記載の装置であって、
前記端末装置に端末装置間隙設定情報を送信する第五送信ユニットをさらに含み、
前記間隙設定情報は、前記間隙の周期、オフセット及び持続時間のうちの少なくとも1つを含み、
前記間隙は、前記端末装置が前記間隙内で前記第二BWPにハンドオーバーし又は前記第二BWPをアクティブにするために用いられる、装置。
【請求項１１】
システム情報取得装置であって、
第一BWP上でページングメッセージを受信する第一受信ユニットであって、前記ページングメッセージにはシステム情報の変更を指示する指示情報が含まれる第一受信ユニット；及び
第二BWP上で、更新されるシステム情報を受信する第二受信ユニットを含み、
前記第一BWPは、第二BWPとは異なる、装置。
【請求項１２】
請求項11に記載の装置であって、
所定のトリガー条件が満足されるときに、前記第一BWPから前記第二BWPにハンドオーバーし、又は、データを受信する第三BWPから前記第二BWPにハンドオーバーし、又は、前記第二BWPをアクティブにする第一処理ユニットをさらに含む、装置。
【請求項１３】
請求項12に記載の装置であって、
前記第一処理ユニットが前記第二BWPにハンドオーバーした後又は前記第二BWPをアクティブにした後に、前記第二受信ユニットは、前記第二BWP上で前記更新されるシステム情報を受信する、装置。
【請求項１４】
請求項11に記載の装置であって、
前記第二BWPを確定する確定ユニットをさらに含み、
前記第二BWPを確定することは、前記確定ユニットが、ネットワーク装置が更新されるシステム情報を送信する少なくとも2つの第二BWPのうちから、使用される1つの第二BWPを確定することを含み、
或いは、前記装置は、ネットワーク装置送信の第一指示情報を受信する第三受信ユニットをさらに含み、
前記第一指示情報は、前記端末装置に前記第二BWPを指示するために用いられる、前記確定ユニットは、前記第一指示情報に基づいて、使用される前記第二BWPを確定する、装置。
【請求項１５】
請求項12に記載の装置であって、
前記第二BWP上でシステム情報を受信した後に、アクティブなBWPを前記第一BWP又は前記第三BWPに変え、或いは、前記第二BWPをインアクティブにし；又は、
ネットワーク装置設定の間隙の終了時に、アクティブなBWPを前記第一BWP又は前記第三BWPに変え、或いは、前記第二BWPをインアクティブにし；又は、
次の1つのシステム情報の変更周期の境界のところで、アクティブなBWPを前記第一BWP又は前記第三BWPに変え、或いは、前記第二BWPをインアクティブにしP；又は、
前記第二BWPに停留し；又は、
ネットワーク装置の指示を受信した又はBWPタイマーが切れた後に、前記第二BWPをインアクティブにする第二処理ユニットをさらに含む、装置。
【請求項１６】
請求項11乃至14のうちの任意の1項に記載の装置であって、
前記所定のトリガー条件は、
前記ページングメッセージを受信したとき；又は、
前記ページングメッセージを受信したとき、且つ次の1つのシステム情報の変更周期が到来する境界にあるときに；又は、
前記ページングメッセージを受信しており、且つ前記ページングメッセージにより、さらに、前記端末装置が所定期間後に、更新されるシステム情報を受信することを指示しているとき；又は、
前記ページングメッセージを受信しており、且つBWPタイマーが切れた後；又は、
前記ページングメッセージを受信しており、且つネットワーク装置がUEのために設定する間隙内にあるときを含む、装置。
【請求項１７】
請求項16に記載の装置であって、
前記ページングメッセージに、システム情報がETWS／CMASであることを指示する通知情報時が含まれるときに、前記所定のトリガー条件は、「前記ページングメッセージ受信したとき」である、装置。
【請求項１８】
請求項16に記載の装置であって、
所定のトリガー条件が、「前記ページングメッセージを受信しており、且つ前記ページングメッセージにより、さらに、前記端末装置が所定期間後に、更新されるシステム情報を受信することを指示しているとき」であり、前記端末装置が1つ又は少なくとも2つの所定期間の情報を有するときに、前記端末装置は、少なくとも1つの所定期間のうちから前記所定期間を選択する、装置。
【請求項１９】
請求項16に記載の装置であって、
所定のトリガー条件が、「前記ページングメッセージを受信しており、且つネットワーク装置がUEのために設定する間隙内にあるとき」である場合、前記装置は、ネットワーク装置送信の間隙設定情報を受信する第四受信ユニットをさらに含み、
前記間隙設定情報は、前記間隙の周期、オフセット及び持続時間のうちの少なくとも1つを含む、装置。
【請求項２０】
請求項11に記載の装置であって、
ネットワーク装置に第一メッセージを送信する第一メッセージ送信ユニットであって、前記第一メッセージが前記第二BWPを指示するために用いられる第一メッセージ送信ユニット；及び／又は、
ネットワーク装置に第二メッセージを送信する第二メッセージ送信ユニットであって、前記第二メッセージが、端末装置が前記第二BWPにハンドオーバーすること、又は、端末装置が前記第二BWPをアクティブにすることを指示するために用いられる第二メッセージ送信ユニットを含む、装置。
【発明の詳細な説明】
【技術分野】
【０００１】
本発明は、通信分野に関し、特に、システム情報送信、取得方法及び装置、通信システムに関する。
【背景技術】
【０００２】
LTE（Long  Term  Evolution）システムでは、システム情報が、端末装置（アイドル状態又は接続状態にあるにもかかわらず）の正常なワーキングを保証するための必要不可欠な情報である。システム情報がネットワーク側からブロードキャストされ、端末装置側は、これらの必要なシステム情報を得た後にのみ、セル選択／再選、セルハンドオーバー、サービス開始などのプロシージャを実行することができる。
【０００３】
時間の変化に伴って、ネットワークは、現在のネットワーク状態に基づいてシステム情報を更新することがある。今のところ、LTEシステムは、修正周期（MP、Modification  Period）の方法を採用してシステム情報の更新を実現する。ネットワークがシステム情報を変更するときに、ネットワーク側は、通常、修正周期n全体内でページング（Paging）メッセージを用いて端末装置に該システム情報の変更を通知し、端末装置は、システム情報の変更指示（systemInfoModification）を含むページングメッセージを受信したときに、システム情報が次の1つの修正周期の境界のところで変更されると確定する。よって、端末装置は、次の1つの修正周期n+1の開始のところで、直ぐに新しいシステム情報を取得し、或いは、特殊のシステム情報、例えば、地震と津波警報システム（ETWS、Earthquake  and  Tsunami  Warning  System）又は商用移動警報システム（CMAS、Commercial  Mobile  Alert  System）について、各デフォルトのページング周期でページングメッセージを読み取る試みを行い、ETWS及び／又はCMAS通知が現れているかをチェックする必要がある。
【０００４】
なお、上述の背景技術についての紹介は、本発明の技術案を明確且つ完全に説明し、また、当業者がそれを理解しやすいためのものである。これらの技術案は、本発明の背景技術に記述されているため、当業者にとって周知であると解釈してはならない。
【発明の概要】
【発明が解決しようとする課題】
【０００５】
第5世代（5G）移動通信システム、例えば、新無線（NR、New  Radio）システムでは、最大チャネルバンド幅が400  MHz（即ち、広いキャリア）に達することができる。広帯域の能力を有する端末装置がずっと上述の広いキャリアでワーキングすれば、消費電力がかなり大きい。よって、3GPP（3rd  Generation  Partnership  Project）では、BWP（Bandwidth  Part）が導入されており、その1つの目的は、端末装置の消費電力を最適化することにある。
【０００６】
発明者が次のようなことを発見した。即ち、従来技術では、ページングメッセージ及びシステム情報がすべて端末装置のワーキングする同一のキャリア上で送信及び受信され、BWPの導入に伴って、ネットワーク側は、端末装置のために予め1つ又は複数の上りリンク又は下りリンクBWPを設定することができ、端末装置は、そのうちの1つ又は少なくとも2つのアクティブなBWP（active  BWP）を用いてデータの送受信を行うことができる。しかしながら、更新されるシステム情報を如何に送受信するかが、今の標準（規格）には明確な規定がない。システム情報の内容が多いため、システムにおいて各UEのアクティブなBWP上で、更新されるシステム情報を送信すれば、大きなシグナリングオーバーヘッドを来す恐れがある。
【０００７】
上述の問題を解決するために、本発明の実施例は、システム情報送信、取得方法、装置及び通信システムを提供し、これにより、システムにおいて、更新されるシステム情報を送信するためのシグナリングオーバーヘッドを節約することができる。
【課題を解決するための手段】
【０００８】
本実施例の第一側面によれば、システム情報送信装置が提供され、そのうち、該装置は、
第一送信ユニットであって、第一BWP上でページングメッセージを送信し、該ページングメッセージにはシステム情報の変更を指示する指示情報が含まれるもの；及び
第二送信ユニットであって、第二BWP上で、更新されるシステム情報を送信するものを含み、
そのうち、該第一BWPは、第二BWPとは異なる。
【０００９】
本実施例の第二側面によれば、システム情報取得装置が提供され、そのうち、該装置は、
第一受信ユニットであって、第一BWP上でページングメッセージを受信し、該ページングメッセージにはシステム情報の変更を指示する指示情報が含まれるもの；及び
第二受信ユニットであって、第二BWP上で、更新されるシステム情報を受信するものを含み、
そのうち、該第一BWPは、第二BWPとは異なる。
【００１０】
本実施例の第三側面によれば、システム情報送信方法が提供され、そのうち、該方法は、
ネットワーク装置が第一BWP上でページングメッセージを送信し、該ページングメッセージにはシステム情報の変更を指示する指示情報が含まれ；及び
第二BWP上で、更新されるシステム情報を送信することを含み、
そのうち、該第一BWPは、該第二BWPとは異なる。
【００１１】
本実施例の第四側面によれば、システム情報取得方法が提供され、そのうち、該方法は、
端末装置が第一BWP上でページングメッセージを受信し、該ページングメッセージにはシステム情報の変更を指示する指示情報が含まれ；及び
第二BWP上で、更新されるシステム情報を受信することを含み、
そのうち、該第一BWPは、第二BWPとは異なる。
【００１２】
本実施例の第五側面によれば、システム情報指示送信装置であって、該装置は、
第六送信ユニットであって、端末装置にBWP設定情報を送信し、該BWP設定情報には該端末装置のために設定される少なくとも1つのBWPの情報が含まれるもの；及び
第七送信ユニットであって、該端末装置に指示情報を送信し、該指示情報は、該少なくとも1つのBWPのうちの1つのBWP上でシステム情報の送信がある、又は、システム情報の送信がないことを指示し、或いは、該指示情報は、該端末装置が該少なくとも1つのBWPのうちの1つのBWP上でページングメッセージを受信する、又は、ページングメッセージを受信しないことを指示するものを含む。
【００１３】
本実施例の第六側面によれば、システム情報指示取得装置が提供され、そのうち、該装置は、
第五受信ユニットであって、ネットワーク装置送信のBWP設定情報を受信し、該BWP設定情報にはネットワーク装置が端末装置のために設定する少なくとも1つのBWPの情報が含まれるもの；及び
第六受信ユニットであって、該ネットワーク装置送信の指示情報を受信し、該指示情報は、該少なくとも1つのBWPのうちの1つのBWP上でシステム情報の送信がある、又は、システム情報の送信がないことを指示し、或いは、該指示情報は、該端末装置が該少なくとも1つのBWPのうちの1つのBWP上でページングメッセージを受信する、又は、ページングメッセージを受信しないものを含む。
【００１４】
本実施例の第七側面によれば、システム情報指示送信方法が提供され、そのうち、該方法は、
ネットワーク装置が端末装置にBWP設定情報を送信し、該BWP設定情報には該端末装置のために設定される少なくとも1つのBWPの情報が含まれ；及び
該ネットワーク装置が該端末装置に指示情報を指示し、該指示情報は、該少なくとも1つのBWPのうちの1つのBWP上でシステム情報の送信がある、又は、システム情報の送信がないことを指示し、或いは、該指示情報は、該端末装置が該少なくとも1つのBWPのうちの1つのBWP上でページングメッセージを受信する、又は、ページングメッセージを受信しないことを指示することを含む。
【００１５】
本実施例の第八側面によれば、システム情報指示取得方法が提供され、そのうち、該方法は、
ネットワーク装置送信のBWP設定情報を受信し、該BWP設定情報にはネットワーク装置が該端末装置のために設定する少なくとも1つのBWPの情報が含まれ；及び
該ネットワーク装置送信の指示情報を受信し、該指示情報は、該少なくとも1つのBWPのうちの1つのBWP上でシステム情報の送信がある、又は、システム情報の送信がないことを指示し、或いは、該指示情報は、該端末装置が該少なくとも1つのBWPのうちの1つのBWP上でページングメッセージを受信する、又は、ページングメッセージを受信しないことを指示することを含む。
【００１６】
本発明の実施例の有益な効果は、次の通りであり、即ち、異なるBWP上でページングメッセージ及び更新されるシステム情報を送信することで、システムにおいて、更新されるシステム情報を送信するためのシグナリングオーバーヘッドを節約することができる。
【００１７】
後述の説明及び図面を参照することで、本発明の特定の実施形態を詳しく開示し、本発明の原理を採用し得る態様を示す。なお、本発明の実施形態は、範囲上ではこれらによって限定されない。添付した特許請求の範囲内であれば、本発明の実施形態は、様々な変更、修正及び代替によるものを含んでも良い。
【００１８】
また、1つの実施方式について説明した及び／又は示した特徴は、同じ又は類似した方式で1つ又は複数の他の実施形態に用い、他の実施形態における特徴と組み合わせ、又は、他の実施形態における特徴を置換することもできる。
【００１９】
なお、「含む／有する」のような用語は、本明細書に使用されるときに、特徴、要素、ステップ、又はアセンブルの存在を指すが、1つ又は複数の他の特徴、要素、ステップ、又はアセンブリの存在又は付加を排除しないということも指す。
【図面の簡単な説明】
【００２０】
本発明の1つの図面又は1つの実施形態に記載の要素及び特徴は、1つ又は複数の他の図面又は実施形態に示した要素及び特徴と組み合わせることができる。また、図面では、類似した符号は、幾つの図面における対応する部品を示し、複数の実施形態に用いる対応部品を示すためにも用いられる。
【００２１】
含まれている図面は、本発明の実施例への更なる理解を提供するために用いられ、これらの図面は、本明細書の一部を構成し、本発明の実施形態を例示し、文字記載とともに本発明の原理を説明するために用いられる。また、明らかのように、以下に記載される図面は、本発明の幾つかの実施例を示すためのものに過ぎず、当業者は、創造性のある労働をせずに、これらの図面に基づいて他の図面を得ることもできる。
【図１】本発明の実施例における通信システムを示す図である。
【図２】本発明の実施例1におけるシステム情報送信方法のフローチャートである。
【図３】本発明の実施例1におけるBWPを示す図である。
【図４】本発明の実施例2におけるシステム情報取得方法のフローチャートである。
【図５】本発明の実施例2におけるシステム情報送受信方法のフローチャートである。
【図６】本発明の実施例3におけるシステム情報指示送信方法のフローチャートである。
【図７】本発明の実施例4におけるシステム情報指示取得方法のフローチャートである。
【図８】本発明の実施例4におけるシステム情報指示送受信方法のフローチャートである。
【図９】本発明の実施例5におけるシステム情報送信装置を示す図である。
【図１０】本発明の実施例6におけるネットワーク装置の構成を示す図である。
【図１１】本発明の実施例7におけるシステム情報取得装置を示す図である。
【図１２】本発明の実施例8における端末装置の構成を示す図である。
【図１３】本発明の実施例9におけるシステム情報指示送信装置を示す図である。
【図１４】本発明の実施例10におけるネットワーク装置の構成を示す図である。
【図１５】本発明の実施例11におけるシステム情報指示取得装置を示す図である。
【図１６】本発明の実施例12における端末装置の構成を示す図である。
【発明を実施するための形態】
【００２２】
添付した図面及び以下の説明を参照することにより、本発明の前述及び他の特徴が明らかになる。なお、明細書及び図面では、本発明の特定の実施形態を開示するが、それは、本発明の原理を採用し得る一部のみの実施形態を示し、理解すべきは、本発明は、記載されている実施形態に限定されず、即ち、本発明は、添付した特許請求の範囲内のすべての変更、変形及び代替によるものも含むということである。
【００２３】
本発明の実施例では、用語「通信ネットワーク」又は「無線通信ネットワーク」は、次のような任意の通信規格に準ずるネットワークを指しても良く、例えば、LTE（LTE、Long  Term  Evolution）、LTE-A（LTE-Advanced）、WCDMA(登録商標)（Wideband  Code  Division  Multiple  Access）、HSPA（High-Speed  Packet  Access）などである。
【００２４】
また、通信システムにおける装置間の通信は、任意の段階の通信プロトコルに従って行われても良く、例えば、次のような通信プロトコルを含んでも良いが、それに限定されず、即ち、1G（generation）、2G、2.5G、2.75G、3G、4G、4.5G及び将来の5G、新無線（NR、New  Radio）など、及び／又は、その他の従来の又は将来に開発される通信プロトコルである。
【００２５】
本発明の実施例では、用語「ネットワーク装置」は、例えば、通信システムにおける、端末装置を通信ネットワークに接続し、且つ該端末装置にサービスを提供する装置を指す。ネットワーク装置は、次のようなものを含んでも良いが、それに限定されず、即ち、基地局（BS、Base  Station）、アクセスポイント（AP、Access  Point）、送受信ポイント（TRP、Transmission  Reception  Point）、ブロードキャスト送信機、モバイル管理エンティティ（MME、Mobile  Management  Entity）、ネットワークゲートウェイ、サーバー、無線ネットワーク制御器（RNC、Radio  Network  Controller）、基地局制御器（BSC、Base  Station  Controller）などである。
【００２６】
そのうち、基地局は、次のようなものを含んでも良いが、それに限定されず、即ち、ノードB（NodeB又はNB）、進化ノードB（eNodeB又はeNB）及び5G基地局（gNB）などであり、さらにRRH（Remote  Radio  Head）、RRU（Remote  Radio  Unit）、リレー（relay）又は低パワーノード（例えば、femto、picoなど）を含んでも良い。また、用語「基地局」は、それらの一部又はすべての機能を含んでも良く、各基地局は、特定の地理の分野に対して通信カバレッジを提供することができる。用語「セル」が指すのは、基地局及び／又はそのカバーする分野であっても良い、これは、該用語のコンテキストによるものである。
【００２７】
本発明の実施例では、用語「ユーザ装置」（UE、User  Equipment）又は「端末装置」（TE、Terminal  Equipment）は、例えば、ネットワーク装置により通信ネットワークにアクセスし、且つネットワークからのサービスを受ける装置を指す。ユーザ装置は、固定したもの又は移動するものであっても良く、また、移動ステーション（MS、Mobile  Station）、端末、ユーザステーション（SS、Subscriber  Station）、アクセス端末（AT、Access  Terminal）、ステーションなどとも称される。
【００２８】
そのうち、ユーザ装置は、次のようなものを含んでも良いが、それに限定されず、例えば、携帯電話（Cellular  Phone）、PDA（Personaｌ  Digital  Assistant）、無線モデム、無線通信装置、携帯装置、マシンタイプ通信装置、ラップトップコンピュータ、コードレス電話機、スマートフォン、スマートウォッチ、デジタルカメラなどである。
【００２９】
また、例えば、IoT（Internet  of  Things）などのシナリオでは、ユーザ装置は、さらに、監視又は測定を行う機器又は装置であっても良く、例えば、次のようなものを含んでも良いが、それに限定されず、即ち、マシンタイプ通信（MTC、Machine  Type  Communication）端末、車載通信端末、D2D（Device  to  Device）端末、M2M（Machine  to  Machine）端末などである。
【００３０】
以下、例を挙げて本発明の実施例におけるシナリオについて説明を行うが、本発明は、これに限られない。
【００３１】
図1は、本発明の実施例における通信システムを示す図であり、ユーザ装置及びネットワーク装置を例とする場合を例示的に説明する。図1に示すように、通信システム100は、ネットワーク装置101及び端末装置102を含んでも良い。なお、便宜のため、図1では、１つのみの端末装置及び１のみのネットワーク装置を例として説明を行うが、本発明は、これに限られない。
【００３２】
本発明の実施例では、ネットワーク装置101と端末装置102との間は、従来のトラフィック又は将来実施可能なトラフィックが行われても良い。これらのトラフィックは、例えば、eMBB（enhanced  Mobile  Broadband）、mMTC（massive  Machine  Type  Communication）、URLLC(Ultra-Reliable  and  Low-Latency  Communication）などを含むが、これに限定されない。
【００３３】
以下、NRシステムを例として、本発明の実施例について説明するが、本発明は、これに限られず、さらに、類似した問題が存在する任意の他のシステムに適用することもできる。
【実施例１】
【００３４】
本発明の実施例1は、システム情報送信方法を提供し、図2は、本実施例における該システム情報送信方法のフローチャートであり、該方法は、ネットワーク装置側に応用され、図2に示すように、該方法は、以下のステップを含む。
【００３５】
ステップ201：ネットワーク装置が第一BWP上でページングメッセージを送信し、該ページングメッセージにはシステム情報の変更を指示する指示情報が含まれ；
ステップ202：該ネットワーク装置が第二BWP上で、更新されるシステム情報を送信し、そのうち、該第一BWPは、該第二BWPとは異なる。
【００３６】
上述の実施例から分かるように、異なるBWP上でページングメッセージ及び更新されるシステム情報を送信することで、システム情報を送信するBWPの個数を減少させることができ、即ち、システムにおいて各端末装置のアクティブなBWP上で、更新されるシステム情報を送信する必要がなく、これにより、システムにおいて、更新されるシステム情報を送信するためのシグナリングオーバーヘッドを節約することができる。
【００３７】
本実施例では、ネットワーク側は、端末装置のために複数のBWPを設定しても良く、ネットワーク装置は、そのうちの又は他の1つ又は少なくとも2つのBWPを選択してシステム情報を送信しても良く（例えば、複数のBWPのうちの一部のBWPを選択してシステム情報を送信する）、また、そのうちの又は他の1つ又は少なくとも2つのBWPを選択してページングメッセージを送信しても良く、そのうち、システム情報を送信する1つ又は少なくとも2つのBWPは、ページングメッセージを送信する1つ又は少なくとも2つのBWPとは一部が異なり又は全部が異なり、即ち、システム情報を送信する少なくとも1つのBWPが、ページングメッセージを送信する少なくとも1つのBWPとは異なり、そのうち、2つのBWPが異なるとは、2つのBWPの中心周波数、バンド幅、サブキャリア間隔（subcarrier  spacing）などの周波数リソース情報のうちの少なくとも1つが異なることを意味する。そのうち、システム情報又はページングメッセージを送信するために選択されるBWPは、ネットワーク側で端末装置のために設定するBWPであっても良く、他のBWPであっても良く、例えば、端末装置がアクセスするときに使用するBWP、即ち、初期BWPであっても良い。
【００３８】
図3は、本実施例において、システム情報を送信するBWPと、ページングメッセージを送信するBWPとの間の関係を示す図であり、図3に示すように、システム情報を送信するBWPと、ページングメッセージを送信するBWPとは、陰影部分により示される位置だけで重なり合い、他の位置で重なり合わず、即ち、中心周波数及びバンド幅がすべて異なり、即ち、システム情報を送信するBWPは、ページングメッセージを送信するBWPとは異なる。
【００３９】
本実施例では、ネットワーク装置がシステム情報を変更するときに、ステップ201において、ネットワーク装置が、上述のページングメッセージを送信する1つ又は少なくとも2つのBWPのうちの第一BWPで1つの端末装置にページングメッセージを送信し、該ページングメッセージには、システム情報の変更を指示する指示情報（systemInfoModification）が含まれ、そのうち、該第一BWPは、アクティブなBWP（active  BWP）であっても良いが、本実施例は、これに限定されない。
【００４０】
本実施例では、該端末装置にシステム情報の変更を通知した後に、ステップ202において、ネットワーク装置が、該第一BWPとは異なる第二BWP上で、更新されるシステム情報を送信し、端末装置は、該第二BWPにハンドオーバーし又は該第二BWPをアクティブにすることで、更新されるシステム情報を取得することができる。システム情報を送信するBWPの個数を減少させることができるため、即ち、システムにおいて各端末装置のアクティブなBWP上で、更新されるシステム情報を送信する必要がないため、システムにおいて、更新されるシステム情報を送信するためのシグナリングオーバーヘッドを節約することができる。
【００４１】
本実施例では、上述のように、該第二BWPは、該第一BWPとは異なり、これは、2つのBWPの中心周波数、バンド幅、サブキャリア間隔（subcarrier  spacing）などの周波数リソース情報のうちの少なくとも1つが異なることを意味するが、本実施例は、これに限られない。
【００４２】
本実施例では、上述のように、ネットワーク装置が1つ又は少なくとも2つのBWPを用いてシステム情報を送信しても良く、1つのみのBWPがシステム情報の送信のために使用されるときに、該1つのBWPは、該第二BWPであり、少なくとも2つのBWPがシステム情報の送信のために使用されるときに、端末装置側では、そのうちの１つを該第二BWPとして使用しても良く、又は、該第二BWPは、ネットワーク装置により指示されても良い。
【００４３】
1つの実施方式では、ネットワーク装置により該第二BWPを指示し、該方法は、さらに、次のようなことを含み、即ち、ネットワーク装置が端末装置に第一指示情報を送信し、該第一指示情報は、該端末装置に該第二BWPを指示することにより、端末装置が該第一指示情報に基づいて該第二BWPを確定し、そして、該第二BWPにハンドオーバーし又は該第二BWPをアクティブにすることで、更新されるシステム情報を取得するようにさせる。
【００４４】
1つの実施方式では、端末装置が、システム情報を送信するための少なくとも2つのBWPのうちの1つを第二BWPとして使用し、該方法は、さらに、次のことを含み、即ち、該ネットワーク装置が該端末装置送信の第一メッセージを受信し、該第一メッセージは、該第二BWPを指示するために用いられ、ネットワーク装置は、該第一メッセージに基づいて該第二BWPを確定し、そして、該第二BWP上で、更新されるシステム情報を送信することができる。該実施方式では、該方法は、さらに、次のことを含み、即ち、ネットワーク装置が端末装置に第三指示情報を送信し、該第三指示情報は、該端末装置にシステム情報を送信する少なくとも2つのBWPを指示することにより、端末装置が該第三指示情報指示の少なくとも2つのBWPのうちの1つを第二BWPとして使用するようにさせる。
【００４５】
本実施例では、該更新されるシステム情報を送信し、且つ該第一BWPとは異なる第二BWPが確定されたときに、端末装置は、該第二BWPにハンドオーバーし又は該第二BWPをアクティブにすることで、更新されるシステム情報を得ることができる。そのため、該方法は、さらに、次のこと（図示せず）を含んでも良く、即ち、該ネットワーク装置が端末装置送信の第二メッセージを受信し、該第二メッセージは、該端末装置が該第二BWPにハンドオーバーし又は該端末装置が該第二BWPをアクティブにすることを指示するために用いられ、即ち、端末装置がハンドオーバーするかそれともアクティブにするかを第二メッセージによりネットワーク装置に通知し、該第二メッセージには、ハンドオーバーする又はアクティブにする対象としての第二BWPが含まれても良く、ハンドオーバーする又はアクティブにする対象としての第二BWPが含まれなくても良いが、本実施例は、これに限定されない。
【００４６】
本実施例では、上述の第一指示情報、第一メッセージ、及び第二メッセージが、無線リソース制御（RRC）シグナリング、媒体アクセス制御（MAC）シグナリング又は物理層シグナリングによりキャリー（Carry）されても良いが、本実施例は、これに限定されない。
【００４７】
本実施例では、端末装置が該第二BWPにハンドオーバーし又は該第二BWPをアクティブにすることで、更新されるシステム情報を得ることができるので、該方法は、さらに、以下のことを含んでも良い。
【００４８】
ステップ203（オプション）：ネットワーク装置が該第二BWP上でデータを送信する。
【００４９】
本実施例では、所定のトリガー条件が満足されるときに、端末装置は、該第二BWPにハンドオーバーし又は該第二BWPをアクティブにすることで、更新されるシステム情報を取得することができる。
【００５０】
1つの実施方式では、該ページングメッセージに基づいて該トリガー条件を確定しても良く、即ち、該ページングメッセージは、さらに、該端末装置が所定期間後に該更新されるシステム情報を受信することを指示し、及び／又は、該ページングメッセージは、さらに、該端末装置が所定期間後に該第二BWPにハンドオーバーし又は該第二BWPをアクティブにし、そして、該第二BWP上で該更新されるシステム情報を受信することを指示するために用いられても良く、そのうち、端末装置が所定期間後に実行する動作の具体的な内容については、実施例2を参照することができるため、ここでは、その詳しい説明を省略する。
【００５１】
本実施例では、該所定期間が定義又は事前設定されても良く、又は、該ページングメッセージにより指示されても良く、例えば、該ページングメッセージに少なくとも1つの所定期間の設定情報を含めても良く、そのうち、複数の所定期間の設定情報が含まれるときに、端末装置は、そのうちの1つの所定期間を自主的に選択しても良く、これにより、異なる端末装置が該第二BWPにハンドオーバーし又は該第二BWPをアクティブにする時刻を分散させることができ、そのうち、該ページングメッセージに含まれる所定期間は、少なくとも1つの他のBWP上で送信されるページングメッセージに含まれる所定期間と同じ又は異なり、異なるときに、端末装置が第二BWPにハンドオーバーし又は第二BWPをアクティブにする時刻を分散させることができる。
【００５２】
1つの実施方式では、間隙（gap）を設定することで該トリガー条件を確定しても良く、該方法は、さらに、次のことを含み、即ち、該ネットワーク装置が該端末装置に端末装置間隙設定情報を送信し、該間隙設定情報は、次のような情報のうちの少なくとも1つを含み、即ち、該間隙の周期、オフセット及び持続時間であり、該間隙は、該端末装置が該間隙内で該第二BWPにハンドオーバーし又は該第二BWPをアクティブにするために用いられる。
【００５３】
本実施例では、該トリガー条件については、さらに、他の実施方式もあり、具体的には、実施例2で詳細に説明する。
【００５４】
上述の実施例から分かるように、異なるBWP上でページングメッセージ及び更新されるシステム情報を送信することで、システムにおいて、更新されるシステム情報を送信するためのシグナリングオーバーヘッドを節約することができる。
【実施例２】
【００５５】
本発明の実施例2は、システム情報取得方法を提供し、該方法は、端末装置側に応用され、該方法が問題を解決する原理が実施例1における方法と同様であるため、その具体的な実施については、実施例1における方法の実施を参照することができ、ここでは、内容が同じである重複説明を省略する。
【００５６】
図4は、本実施例におけるシステム情報取得方法のフローチャートであり、図4に示すように、該方法は、以下のステップを含む。
【００５７】
ステップ401：第一BWP上でページングメッセージを受信し、該ページングメッセージにはシステム情報の変更を指示する指示情報が含まれ；
ステップ403：第二BWP上で、更新されるシステム情報を受信し、そのうち、該第一BWPは、第二BWPとは異なる。
【００５８】
上述の実施例から分かるように、異なるBWP上で、ページングメッセージ及び更新されるシステム情報を得ることで、システム情報を送信するBWPの個数を減少させることができ、即ち、システムにおいて各端末装置のアクティブなBWP上で、更新されるシステム情報を送信する必要がなく、これにより、システムにおいて、更新されるシステム情報を送信するためのシグナリングオーバーヘッドを節約することができる。
【００５９】
本実施例では、該第一BWP及び第二BWPの具体的な意味については、実施例1を参照することができ、また、該ステップ401及び403は、実施例1におけるステップ201〜202に対応するため、ここでは、その詳しい説明を省略する。
【００６０】
本実施例では、実施例1に記載のように、ネットワーク装置が1つ又は少なくとも2つのBWPを用いてシステム情報を送信することができ、1つのみのBWPがシステム情報の送信のために使用されるときに、該一个BWPは、該第二BWPであり、少なくとも2つのBWPがシステム情報の送信のために使用されるときに、端末装置側では、そのうちの1つを該第二BWPとして使用しても良く、又は、該第二BWPは、ネットワーク装置により指示されても良い。
【００６１】
1つの実施方式では、ネットワーク装置により該第二BWPを指示し、該方法は、さらに、次のことを含み、即ち、端末装置がネットワーク装置送信の第一指示情報を受信し、該第一指示情報は、該端末装置に該第二BWPを指示し、該端末装置は、該第一指示情報に基づいて該第二BWPを確定し、そして、該第二BWPにハンドオーバーし又は該第二BWPをアクティブにすることで、更新されるシステム情報を取得する。
【００６２】
1つの実施方式では、端末装置が、システム情報を送信する少なくとも2つのBWPのうちの1つのBWPを第二BWPとして使用し、該方法は、さらに、次のことを含み、即ち、ネットワーク装置に第一メッセージを送信し、該第一メッセージは、該使用される第二BWPを指示し、ネットワーク装置は、該第一メッセージに基づいて該第二BWPを確定し、そして、該第二BWP上で、更新されるシステム情報を送信する。該実施方式では、該方法は、さらに、次のことを含み、即ち、ネットワーク装置送信の第三指示情報を受信し、該第三指示情報は、該端末装置にシステム情報を送信する少なくとも2つのBWPを指示し、端末装置は、該第三指示情報指示の少なくとも2つのBWPのうちの1つを該第二BWPとして使用し、そして、該第二BWPにハンドオーバーし又は該第二BWPをアクティブにすることで、更新されるシステム情報を取得する。
【００６３】
本実施例では、該方法は、さらに、以下のことを含んでも良い。
【００６４】
ステップ402：所定のトリガー条件が満足されるときに、該端末装置が該第一BWPから該第二BWPにハンドオーバーし、又は、データを受信する第三BWPから該第二BWPにハンドオーバーし、又は、該第二BWPをアクティブにする。
【００６５】
本実施例では、現在にページングメッセージを受信する第一BWPがアクティブなBWPであり、且つ端末装置が、1つのみのBWPを同時にアクティブにし得ることをサポートするときに、該端末装置が現在に該第一BWP上でデータを送受信することを表し、該端末装置は、該第一BWPから該第二BWPにハンドオーバーすることができ；又は、端末装置が、少なくとも2つのBWPを同時にアクティブにし得ることをサポートするときに、端末装置は、該第二BWPをアクティブにすることができ；又は、現在にアクティブなBWPが該第一BWPでなく、第三BWPであるときに、且つ端末装置が、1つのみのBWPを同時にアクティブにし得ることをサポートするときに、該端末装置が現在に該第三BWP上でデータを送受信することを表し、該端末装置は、該第三BWPから該第二BWPにハンドオーバーすることができ；又は、端末装置が、少なくとも2つのBWPを同時にアクティブにし得ることをサポートするときに、端末装置は、該第二BWPをアクティブにすることができる。該第二BWPにハンドオーバーし又は該第二BWPをアクティブにすることで、更新されるシステム情報を受信することにより、端末装置が元のアクティブなBWP（第一BWP又は第三BWP）上でデータの送受信を行うことに影響を与えることがない。
【００６６】
本実施例では、該所定のトリガー条件は、以下のものを含み、即ち、
該ページングメッセージを受信したとき；又は、
該ページングメッセージを受信したとき、且つ次の1つのシステム情報の変更周期が到来したとき；又は、
該ページングメッセージを受信しており、且つ該ページングメッセージにより、さらに、該端末装置が所定期間後に、更新されるシステム情報を受信することを指示しているとき；又は、
該ページングメッセージを受信しており、且つBWPタイマーが切れた後；又は、
該ページングメッセージを受信しており、且つネットワーク装置がUEのために設定する間隙内にあるときである。
【００６７】
以下、それぞれ、上述の5種類のトリガー条件について説明する。
【００６８】
例えば、該トリガー条件が「該ページングメッセージを受信したとき」である場合、直ぐに第二BWPにハンドオーバーし又は該第二BWPをアクティブにし、該トリガー条件は、システム情報がETWS／CMASであり、即ち、ページングメッセージにETWS／CMASを指示する通知情報が含まれるシナリオに適用され、直ぐに該第二BWPにハンドオーバーし又は該第二BWPをアクティブにすることができるから、更新されるシステム情報を即時に取得することができる。
【００６９】
例えば、該トリガー条件が「該ページングメッセージを受信しており、且つ次の1つのシステム情報の変更周期が到来する境界にあるとき」である場合、該第二BWPにハンドオーバーし又は該第二BWPをアクティブにし、ネットワーク側も次の1つのシステム情報の変更周期の境界を知ることができるから、ネットワーク側及び端末装置のBWPはアラインメントすることができる。
【００７０】
例えば、該トリガー条件が「該ページングメッセージを受信しており、且つ該ページングメッセージにより、さらに、該端末装置が所定期間後に、更新されるシステム情報を受信することを指示するとき」である場合、該第二BWPにハンドオーバーし又は該第二BWPをアクティブにし、これは、該所定期間が切れた後に直ぐに該第二BWPにハンドオーバーし又は該第二BWPをアクティブにしても良く、又は、該所定期間が切れた後に端末装置が再び自主的に1つの時間をランダム選択して該第二BWPにハンドオーバーし又は該第二BWPをアクティブにしても良く、又は、該所定期間が切れた後の所定時間内で該第二BWPにハンドオーバーし又は該第二BWPをアクティブにしても良いことを表し、そのうち、該所定期間が切れた後の所定時間内で端末装置が自主的に1つの時間をランダム選択して該第二BWPにハンドオーバーし又は該第二BWPをアクティブにしても良い。なお、以上の説明は、例示に過ぎず、本実施例は、これに限定されない。
【００７１】
該トリガー条件の下で、該所定期間の具体的な設定方式については、実施例1を参照することができ、ここでは、その詳しい説明を省略する。ページングメッセージに少なくとも2つの所定期間の設定情報が含まれるときに、該端末装置は、そのうちから該所定期間を選択しても良く、これにより、端末装置が自主的にハンドオーバーする又はアクティブにする時刻を分散させることができる。
【００７２】
例えば、トリガー条件が「該ページングメッセージを受信しており、且つBWPタイマーが切れた後」である場合、該第二BWPにハンドオーバーし又は該第二BWPをアクティブにする。該トリガー条件の下で、該第二BWPは、デフォルトBWP（default  BWP）であっても良いが、本実施例は、これに限定されない。タイマーが切れた後は、データの送受信が終了していることを表すから、該第二BWPにハンドオーバーし又は該第二BWPをアクティブにすることで、更新されるシステムメッセージの受信を行うことができ、このようにして、アクティブなBWP上での従来のデータの送受信を保証することができ、また、エネルギー消費を節約することもできる。本実施例では、該タイマーがBWP休眠タイマーBWP-InactivityTimerであっても良く、端末装置は、ネットワーク側でスケジューリングされる下りリンク割り当てを受信したときに、該タイマーを起動又は再起動することができるが、ここでの説明は、例示に過ぎず、本実施例は、これに限られず、該タイマーは、さらに、他のシグナリング又は他のイベントによるトリガーに従って、起動又は再起動することもできる。
【００７３】
例えば、トリガー条件が「該ページングメッセージを受信しており、且つネットワーク装置がUEのために設定する間隙内にあるとき」である場合、該第二BWPにハンドオーバーし又は該第二BWPをアクティブにし、さらに、該間隙内で、該第二BWP上で、更新されるシステム情報を受信しても良く、ネットワーク装置は、該間隙内で、アクティブなBWP例えば第一BWP又は第三BWP上で端末装置をスケジューリングすることがない。該トリガー条件の下で、端末装置は、ネットワーク装置送信の間隙設定情報を受信し、該間隙設定情報は、次のような情報のうちの少なくとも1つを含み、即ち、間隙の周期、オフセット及び持続時間である。例えば、間隙の周期が40msに設定されても良く、オフセットが0〜39msのうちの任意の1つに設定されても良く、例えば、1msであり、持続時間が6msに設定されても良い。このような場合、端末装置は、各40msの中の第1msであるときに、第二BWPにハンドオーバーし又は第二BWPをアクティブにすることを開始し、また、該第二BWP上で、更新されるシステム情報を受信し、受信時間が6msである。各40msの第7msであるときに、第二BWP上での更新されるシステム情報の受信を停止する。なお、以上の説明は、例示に過ぎず、本実施例は、これに限定されず、例えば、間隙設定情報が周期のみを含むときに、周期全体内で更新されるシステム情報を受信しても良い。
【００７４】
本実施例では、ステップ402において該第二BWPにハンドオーバーし又は該第二BWPをアクティブにした後に、ステップ403を実行し、端末装置が該第二BWP上で該更新されるシステム情報を受信する。
【００７５】
本実施例では、端末装置が第二BWP上で、更新されるシステムメッセージを得た後に、該方法は、さらに、次のこと（オプション；図示せず）を含んでも良く、即ち、アクティブなBWPを該第一BWP又は該第三BWPに変え又は該第二BWPをインアクティブにし、或いは、該第二BWPに停留し、例えば、該端末装置は、直ぐに自主的にアクティブなBWPを該第一BWP又は該第三BWPに変え又は該第二BWPをインアクティブにしても良く；又は、ネットワーク装置設定の間隙の終了時に自主的にアクティブなBWPを該第一BWP又は該第三BWPに変え又は該第二BWPをインアクティブにしても良く；又は、次の1つのシステム情報の変更周期の境界のところで自主的にアクティブなBWPを該第一BWP又は該第三BWPに変え又は該第二BWPをインアクティブしても良く；又は、該第二BWPに停留しても良く；又は、ネットワーク装置の指示を受信した後又はBWPタイマーが切れた後に、自主的に該第二BWPをインアクティブにしても良い。
【００７６】
図5は、本実施例におけるシステム情報送受信方法を示す図であり、図5に示すように、該方法は、以下のステップを含む。
【００７７】
ステップ501：ネットワーク装置が第一BWP上でページングメッセージを送信し、該ページングメッセージにはシステム情報の変更を指示する指示情報が含まれ、その具体的な実施方式については、実施例1におけるステップ201を参照することができ；
ステップ502：端末装置が該第一BWP上で該ページングメッセージを受信し、所定のトリガー条件が満足されるときに、端末装置は、自主的に該第二BWPにハンドオーバーし又は該第二BWPをアクティブにし；
ステップ503：ネットワーク装置が該第二BWP上で端末装置に、更新されるシステム情報を送信する。
【００７８】
ステップ504：端末装置が該更新されるシステム情報を受信した後に、アクティブなBWPを該第一BWP又は該第三BWPに変え又は該第二BWPをインアクティブにし、或いは、該第二BWPに停留する。
【００７９】
上述の実施例から分かるように、異なるBWP上でページングメッセージ及び更新されるシステム情報を取得することで、システムにおいて、更新されるシステム情報を送信するためのシグナリングオーバーヘッドを節約することができる。
【実施例３】
【００８０】
本発明の実施例3は、システム情報指示送信方法（システム情報指示を送信する方法）を提供し、図6は、本実施例における該システム情報指示送信方法のフローチャートであり、該方法は、ネットワーク装置側に応用され、図6に示すように、該方法は、以下のステップを含む。
【００８１】
ステップ601：ネットワーク装置が端末装置にBWP設定情報を送信し、該BWP設定情報には該端末装置のために設定される少なくとも1つのBWPの情報が含まれ；
ステップ602：該ネットワーク装置が該端末装置に指示情報を送信し、該指示情報は、該少なくとも1つのBWPのうちの1つのBWP上でシステム情報の送信がある、又は、システム情報の送信がないことを指示し、或いは、該指示情報は、該端末装置が該少なくとも1つのBWPのうちの1つのBWP上でページングメッセージを受信する、又は、ページングメッセージを受信しないことを指示する。
【００８２】
本実施例では、ネットワーク装置が端末装置にそのために設定する少なくとも1つのBWPのうちの1つのBWP上でシステム情報の送信があるか、又は、該少なくとも1つのBWPのうちの1つのBWP上でページングメッセージを受信するかを通知することができ、端末装置は、該通知に基づいて、アクティブなBWP上でシステム情報の伝送がないときにページングメッセージを受信しないと確定することができ、これにより、シグナリングのオーバーヘッドを節約することができる。
【００８３】
本実施例では、該端末装置は、接続状態にある端末装置であっても良い。
【００８４】
本実施例では、ネットワーク装置は、端末装置のために少なくとも1つのBWPを設定しても良く、該BWPは、上りリンク又は下りリンクBWPであっても良いが、本実施例は、これに限定されず、ステップ601では、ネットワーク装置は、該少なくとも1つのBWPの情報を含む設定情報を端末装置に送信し、そのうち、該少なくとも1つのBWPの情報は、以下のものを含んでも良い。
【００８５】
1つの実施方式では、該指示情報は、該少なくとも1つのBWPのうちの1つのBWP上でシステム情報の送信がある、又は、システム情報の送信がないことを指示する。例えば、指示情報は、該少なくとも1つのBWPのうちの各BWP上でシステム情報の送信があるかを指示し、そのうち、該指示情報は、ビットマップであっても良く、該ビットマップのビット長さが、ネットワーク側で端末装置のために設定されるBWPの数に等しく、該ビットマップの各ビットが、各BWP上でシステム情報の送信があるかを指示するために用いられ、そのうち、ビット値1によりシステム情報送信ありを示しても良く、ビット値0によりシステム情報送信なしを示しても良い。例えば、指示情報は、該少なくとも1つのBWPのうち、システム情報送信ありのBWPを指示し、即ち、システム情報送信ありのBWPの索引又は他の関連情報を該指示情報に含めても良く、該指示情報に含まれないBWPは、その上でシステム情報の送信がないことを表す。また、例えば、指示情報は、該少なくとも1つのBWPのうち、システム情報送信なしのBWPを指示し、即ち、システム情報送信なしのBWPの索引又は他の関連情報を該指示情報に含めても良く、該指示情報に含まれないBWPは、その上でシステム情報の送信があることを表す。なお、以上の説明は、例示に過ぎず、本実施例は、これに限られない。
【００８６】
1つの実施方式では、該指示情報は、該端末装置が該少なくとも1つのBWPのうちの1つのBWP上でページングメッセージを受信する、又は、ページングメッセージを受信しないことを指示する。例えば、指示情報は、該少なくとも1つのBWPのうちの各BWP上でページングメッセージを受信する、又は、ページングメッセージを受信しないことを指示し、そのうち、該指示情報は、ビットマップであっても良く、該ビットマップのビット長さが、ネットワーク側で端末装置のために設定されるBWPの数に等しく、該ビットマップの各ビットが、各BWP上でページングメッセージを受信するかを指示するために用いられ、そのうち、ビット値1により、ページングメッセージを受信することを示し、ビット値0により、ページングメッセージを受信しないことを示しても良い。例えば、指示情報は、該少なくとも1つのBWPのうち、ページングメッセージを受信するBWPを指示し、即ち、ページングメッセージを受信するBWPの索引又は他の関連情報を該指示情報に含めても良く、該指示情報に含まれないBWPは、その上でページングメッセージを受信しないことを表す。また、例えば、指示情報は、該少なくとも1つのBWPのうち、ページングメッセージを受信しないBWPを指示し、即ち、ページングメッセージを受信しないBWPの索引又は他の関連情報を該指示情報に含めても良く、該指示情報に含まれないBWPは、その上でページングメッセージを受信することを表す。なお、以上の説明は、例示に過ぎず、本実施例は、これに限られない。
【００８７】
本実施例では、ステップ601及びステップ602における設定情報及び指示情報は、1つのメッセージにおいて送信されても良く、異なるメッセージにおいて同時に送信されても良く又はそれぞれ送信されても良いが、本実施例は、これに限られない。例えば、該設定情報又は指示情報は、無線リソース制御シグナリング又は媒体アクセス制御シグナリングにより送信されても良い。
【００８８】
本実施例では、指示情報により、1つのアクティブなBWP上でシステム情報の送信があることを指示し、即ち、対応して、該端末装置が該BWP上でページングメッセージを受信することを指示し、また、指示情報により、1つのアクティブなBWP上でシステム情報の送信がないことを指示し、即ち、対応して、該端末装置が該BWP上でページングメッセージを受信しないことを指示し、その具体的な実施方式については、実施例4を参照することができ、ここでは、その詳しい説明を省略する。
【００８９】
本実施例では、システム情報変更時に、該方法は、さらに、以下のことを含む。
【００９０】
ステップ603：少なくとも1つのBWPのうちの1つのアクティブなBWP上で該端末装置に、更新されるシステム情報を送信し、そのうち、無線リソース制御シグナリングにより、該更新されるシステム情報を送信しても良い。
【００９１】
本実施例では、ネットワーク装置は、該アクティブなBWP上でシステム情報の送信がないとき、又は、端末装置が該アクティブなBWP上でページングメッセージを受信しないときにのみ、ステップ603を実行し、即ち、アクティブなBWP上で、更新されるシステム情報を送信し、これにより、シグナリングオーバーヘッドを節約することができる。
【００９２】
上述の実施例から分かるように、ネットワーク装置が端末装置にそのために設定する少なくとも1つのBWPのうちの1つのBWP上でシステム情報の送信があるか、又は、該少なくとも1つのBWPのうちの1つのBWP上でページングメッセージを受信するかを通知することができ、端末装置は、該通知に基づいて、アクティブなBWP上でシステム情報の伝送がないときにページングメッセージを受信しないと確定することができ、これにより、シグナリングのオーバーヘッドを節約することができる。
【実施例４】
【００９３】
本発明の実施例4は、システム情報指示取得方法（システム情報指示を取得する方法）を提供し、該方法は、端末装置側に応用され、該方法が問題を解決する原理が実施例3における方法と同様であるから、その具体的な実施については、実施例3における方法の実施を参照することができ、ここでは、内容が同じである重複説明を省略する。
【００９４】
図7は、本実施例における該システム情報指示取得方法のフローチャートであり、図7に示すように、該方法は、以下のステップを含む。
【００９５】
ステップ701：ネットワーク装置送信のBWP設定情報を受信し、該BWP設定情報は、ネットワーク装置が該端末装置のために設定する少なくとも1つのBWPの情報を含み；
ステップ702：該ネットワーク装置送信の指示情報を受信し、該指示情報は、該少なくとも1つのBWPのうちの1つのBWP上でシステム情報の送信がある、又は、システム情報の送信がないことを指示し、或いは、該指示情報は、該端末装置が該少なくとも1つのBWPのうちの1つのBWP上でページングメッセージを受信する、又は、ページングメッセージを受信しないことを指示する。
【００９６】
本実施例では、ステップ701〜702の実施方式が実施例3におけるステップ601〜602に対応するので、その具体的な実施方式については、実施例3を参照することができ、ここでは、その詳しい説明を省略する。
【００９７】
本実施例では、該設定情報及び指示情報の具体的な実施方式については、実施例3を参照することができ、ここでは、その詳しい説明を省略する。
【００９８】
本実施例では、該方法は、さらに、以下のことを含んでも良い。
【００９９】
ステップ703：端末装置が該指示情報に基づいて、アクティブなBWP上でシステム情報の送信がある、又は、システム情報の送信がないことを確定し、或いは、該指示情報に基づいて、アクティブなBWP上でページングメッセージを受信する、又は、ページングメッセージを受信しないことを確定し；
ステップ704：アクティブなBWP上でシステム情報の送信がなく、又は、ページングメッセージを受信しないと確定されたときに、該端末装置は、ネットワーク装置送信のページングメッセージの受信を停止する（ページングメッセージを受信しない）。
【０１００】
本実施例では、アクティブなBWP上でシステム情報の送信がないから、端末装置は、該ページングメッセージを受信する必要がなく、システム情報変更時に、端末装置は、該ページングメッセージによりシステム情報の変更の指示を得る必要がなく、ネットワーク側は、直接、更新されるシステムメッセージを端末装置に送信することで、端末装置に、システム情報を更新させることができる。よって、本実施例では、システム情報変更時に、該方法は、さらに、以下のことを含む。
【０１０１】
ステップ705：アクティブなBWP上で該ネットワーク装置送信の更新されるシステム情報を受信する。該更新されるシステム情報は、無線リソース制御シグナリングにより送信されても良いが、本実施例は、これに限定されない。
【０１０２】
本実施例では、端末装置は、該更新されるシステム情報により、記憶されている対応するシステム情報を置換する。
【０１０３】
図8は、本実施例におけるシステム情報指示送受信方法のフローチャートであり、図8に示すように、該方法は、以下のステップを含む。
【０１０４】
ステップ801：ネットワーク装置が端末装置にBWP設定情報を送信し、該BWP設定情報には該端末装置のために設定される少なくとも1つのBWPの情報が含まれ；
ステップ802：該ネットワーク装置が該端末装置に指示情報を送信し、該指示情報は、該少なくとも1つのBWPのうちの1つのBWP上でシステム情報の送信がある、又は、システム情報の送信がないことを指示し、或いは、該指示情報は、該端末装置が該少なくとも1つのBWPのうちの1つのBWP上でページングメッセージを受信する、又は、ページングメッセージを受信しないことを指示する。
【０１０５】
そのうち、ステップ801〜802は、ステップ601〜602に対応するから、ここでは、重複説明が省略される。
【０１０６】
ステップ803：システム情報変更時に、ネットワーク装置がページングメッセージを送信し、該ページングメッセージにはシステム情報の変更を指示する指示情報が含まれ；
ステップ804：端末装置が該指示情報に基づいて、現在にアクティブなBWP上でシステム情報の送信があり又はページングメッセージを受信すると確定したときに、ネットワーク装置送信のページングメッセージを受信し、また、該指示情報に基づいて、現在にアクティブなBWP上でシステム情報の送信がなく又はページングメッセージを受信しないと確定したときに、ネットワーク装置送信のページングメッセージの受信を停止する。
【０１０７】
本実施例では、ステップ801において、ネットワーク装置は、端末装置にBWPを設定するときに、その同時に、そのうちの1つのBWPをアクティブにしても良く、ネットワーク装置は、トラフィックのニーズに応じて、シグナリングにより、端末装置に、アクティブなBWPの変更を指示しても良いが、本実施例は、これに限定されない。よって、現在にアクティブなBWPは、ネットワーク装置が端末装置のために設定する任意の1つのBWPであっても良い。
【０１０８】
ステップ805：ネットワーク装置がアクティブなBWP上で端末装置に、更新されるシステム情報を送信し；
ステップ806：端末装置がアクティブなBWP上で該ネットワーク装置送信の更新されるシステム情報を受信し、該更新されるシステム情報により、記憶されている対応するシステム情報を置換する。
【０１０９】
上述の実施例から分かるように、ネットワーク装置が端末装置にそのために設定する少なくとも1つのBWPのうちの1つのBWP上でシステム情報の送信があるか、又は、該少なくとも1つのBWPのうちの1つのBWP上でページングメッセージを受信するかを通知することができ、端末装置は、該通知に基づいて、アクティブなBWP上でシステム情報の伝送がないときにページングメッセージを受信しないと確定することができ、これにより、シグナリングのオーバーヘッドを節約することができる。
【実施例５】
【０１１０】
本実施例5は、システム情報送信装置を提供し、該装置が問題を解決する原理が実施例1における方法と同様であるから、その具体的な実施については、実施例1における方法の実施を参照することができ、ここでは、内容が同じである重複説明を省略する。
【０１１１】
図9は、本発明の実施例5におけるシステム情報送信装置を示す図である。図9に示すように、該装置900は、以下のものを含む。
【０１１２】
第一送信ユニット901：第一BWP上でページングメッセージを送信し、該ページングメッセージにはシステム情報の変更を指示する指示情報が含まれ；
第二送信ユニット902：第二BWP上で、更新されるシステム情報を送信する。
【０１１３】
そのうち、該第一BWPは、該第二BWPとは異なる。
【０１１４】
本実施例では、第一送信ユニット901及び第二送信ユニット902の具体的な実施方式については、実施例1におけるステップ201〜202を参照することができ、ここでは、重複説明を省略し、また、該第一BWP及び第二BWPの意味については、実施例1を参照することができ、ここでは、その詳しい説明を省略する。
【０１１５】
本実施例では、該装置は、さらに、以下のものを含んでも良い。
【０１１６】
第三送信ユニット（図示せず；オプション）：端末装置に第一指示情報を送信し、該第一指示情報は、該端末装置に該第二BWPを指示する。
【０１１７】
本実施例では、該装置は、さらに、以下のものを含んでも良い。
【０１１８】
第一メッセージ受信ユニット（図示せず；オプション）：端末装置送信の第一メッセージを受信し、該第一メッセージは、該第二BWPを指示する。
【０１１９】
本実施例では、該装置は、さらに、以下のものを含んでも良い。
【０１２０】
第二メッセージ受信ユニット（図示せず；オプション）：端末装置送信の第二メッセージを受信し、該第二メッセージは、該端末装置が該第二BWPにハンドオーバーし又は該端末装置が該第二BWPをアクティブにすることを指示する。
【０１２１】
本実施例では、該装置は、さらに、以下のものを含んでも良い。
【０１２２】
第四送信ユニット903（オプション）：該第二BWP上でデータを送信する。
【０１２３】
本実施例では、該ページングメッセージは、さらに、該端末装置が所定期間後に該更新されるシステム情報を受信することを指示し、そのうち、該所定期間は、該ページングメッセージにより指示され、又は、該所定期間は、定義又は事前設定されても良い。
【０１２４】
本実施例では、該ページングメッセージは、さらに、該端末装置が所定期間後に該第二BWPにハンドオーバーし又は該第二BWPをアクティブにし、また、該第二BWP上で該更新されるシステム情報を受信することを指示する。
【０１２５】
本実施例では、該ページングメッセージに含まれる所定期間と、少なくとも1つの他のBWP上で送信されるページングメッセージに含まれる所定期間とは、同じ又は異なる。
【０１２６】
本実施例では、該装置は、さらに、以下のものを含んでも良い。
【０１２７】
第五送信ユニット（図示せず；オプション）：該端末装置に端末装置間隙設定情報を送信し、該間隙設定情報は、次のような情報のうちの少なくとも1つを含み、即ち、該間隙の周期、オフセット及び持続時間である。該間隙は、該端末装置が該間隙内で該第二BWPにハンドオーバーし又は該第二BWPをアクティブにするために用いられる。
【０１２８】
本実施例では、各ユニットの具体的な実施方式については、実施例1を参照することができ、ここでは、その詳しい説明を省略する。
【０１２９】
上述の実施例から分かるように、異なるBWP上でページングメッセージ及び更新されるシステム情報を送信することで、システムにおいて、更新されるシステム情報を送信するためのシグナリングオーバーヘッドを節約することができる。
【実施例６】
【０１３０】
本実施例6は、ネットワーク装置を提供し、該装置が問題を解決する原理が実施例1における方法と同様であるから、その具体的な実施については、実施例1における方法の実施を参照することができ、ここでは、内容が同じである重複説明を省略する。
【０１３１】
本実施例では、さらに、ネットワーク装置（図示せず）が提供され、該ネットワーク装置には、前述のようなシステム情報送信装置900が構成される。
【０１３２】
本実施例6は、さらに、ネットワーク装置を提供し、該装置が問題を解決する原理が実施例1における方法と同様であるから、その具体的な実施については、実施例1における方法の実施を参照することができ、ここでは、内容が同じである重複説明を省略する。図10は、該ネットワーク装置の構成図である。図10に示すように、ネットワーク装置1000は、中央処理装置（CPU）1001及び記憶器1002を含んでも良い。記憶器1002は、中央処理装置1001に接続される。そのうち、該記憶器1002は、各種のデータを記憶することができ、また、データ処理用のプログラム1005をさらに記憶することができ、且つ中央処理装置1001の制御下で該プログラムを実行することで、システム情報を送信することができる。
【０１３３】
1つの実施方式では、装置900の機能が中央処理装置1001に統合されても良い。そのうち、中央処理装置1001は、実施例1に記載のシステム情報送信方法を実現するように構成されても良い。
【０１３４】
例えば、中央処理装置1001は、次のように構成されても良く、即ち、第一BWP上でページングメッセージを送信し、該ページングメッセージにはシステム情報の変更を指示する指示情報が含まれ；第二BWP上で、更新されるシステム情報を送信し；そのうち、該第一BWPは、該第二BWPとは異なる。
【０１３５】
例えば、中央処理装置1001は、さらに、次のように構成されても良く、即ち、端末装置に第一指示情報を送信し、該第一指示情報は、該端末装置に該第二BWPを指示する。
【０１３６】
例えば、中央処理装置1001は、さらに、次のように構成されても良く、即ち、該端末装置送信の第一メッセージを受信し、該第一メッセージは、該第二BWPを指示する。
【０１３７】
例えば、中央処理装置1001は、さらに、次のように構成されても良く、即ち、端末装置送信の第二メッセージを受信し、該第二メッセージは、該端末装置が該第二BWPにハンドオーバーし又は該端末装置が該第二BWPをアクティブにすることを指示する。
【０１３８】
例えば、中央処理装置1001は、さらに、次のように構成されても良く、即ち、該第二BWP上でデータを送信する。
【０１３９】
1つの実施方式では、該ページングメッセージは、さらに、該端末装置が所定期間後に、該更新されるシステム情報を受信することを指示し、そのうち、該所定期間は、該ページングメッセージにより指示され、又は、該所定期間は、定義又は事前設定されても良い。
【０１４０】
1つの実施方式では、該ページングメッセージは、さらに、該端末装置が所定期間後に該第二BWPにハンドオーバーし又は該第二BWPをアクティブにし、また、該第二BWP上で該更新されるシステム情報を受信することを指示する。
【０１４１】
本実施例では、該ページングメッセージに含まれる所定期間と、少なくとも1つの他のBWP上で送信されるページングメッセージに含まれる所定期間とは、同じ又は異なる。
【０１４２】
例えば、中央処理装置1001は、さらに、次のように構成されても良く、即ち、該端末装置に端末装置間隙設定情報を送信し、該間隙設定情報は、次のような情報のうちの少なくとも1つを含み、即ち、該間隙の周期、オフセット及び持続時間であり、該間隙は、該端末装置が該間隙内で該第二BWPにハンドオーバーし又は該第二BWPをアクティブにするために用いられる。
【０１４３】
また、該中央処理装置1001の具体的な構成方式については、実施例1を参照することができ、ここでは、その詳しい説明を省略する。
【０１４４】
もう1つの実施方式では、上述の装置900が中央処理装置1001と別々で配置されても良く、例えば、装置900が、中央処理装置1001に接続されるチップとして構成され、図10に示すユニットのように、中央処理装置1001の制御により装置900の機能を実現しても良い。
【０１４５】
また、図10に示すように、ネットワーク装置1000は、さらに、送受信機1003、アンテナ1004などを含んでも良い。そのうち、これらの部品の機能が従来技術と同様であるから、ここでは、その詳しい説明を省略する。なお、ネットワーク装置1000は、図10に示す全部の部品を含む必要がない。また、ネットワーク装置1000は、さらに、図10に無い部品を含んでも良く、これについては、従来技術を参照することができる。
【０１４６】
上述の実施例から分かるように、異なるBWP上でページングメッセージ及び更新されるシステム情報を送信することで、システムにおいて、更新されるシステム情報を送信するためのシグナリングオーバーヘッドを節約することができる。
【実施例７】
【０１４７】
本実施例7は、システム情報取得装置を提供し、該装置が問題を解決する原理が実施例2における方法と同様であるから、その具体的な実施については、実施例2における方法の実施を参照することができ、ここでは、内容が同じである重複説明を省略する。
【０１４８】
図11は、本発明の実施例7におけるシステム情報取得装置を示す図である。図11に示すように、該装置1100は、以下のものを含む。
【０１４９】
第一受信ユニット1101：第一BWP上でページングメッセージを受信し、前記ページングメッセージにはシステム情報の変更を指示する指示情報が含まれ；
第二受信ユニット1102：第二BWP上で、更新されるシステム情報を受信する。
【０１５０】
そのうち、前記第一BWPは、第二BWP異なる。
【０１５１】
本実施例では、第一受信ユニット1101及び第二受信ユニット1102の具体的な実施方式については、実施例2におけるステップ401、403を参照することができ、ここでは、重複説明を省略。また、該第一BWP及び第二BWPの意味については、実施例1を参照することができるので、ここでは、その詳しい説明を省略する。
【０１５２】
本実施例では、該装置は、さらに、以下のものを含んでも良い。
【０１５３】
第一処理ユニット1103：所定のトリガー条件が満足されるときに、該第一BWPから該第二BWPにハンドオーバーし、又は、データを受信する第三BWPから該第二BWPにハンドオーバーし、又は、該第二BWPをアクティブにする。
【０１５４】
本実施例では、該第一処理ユニット1103が該第二BWPにハンドオーバーし又は該第二BWPをアクティブにした後に、該第二受信ユニット1102は、該第二BWP上で該更新されるシステム情報を受信する。
【０１５５】
本実施例では、該装置は、さらに、以下のものを含んでも良い。
【０１５６】
確定ユニット（図示せず；オプション）：該第二BWPを確定し、それは、該確定ユニットが、ネットワーク装置が更新されるシステム情報を送信する少なくとも2つの第二BWPのうちから、使用される1つの第二BWPを確定することを含む。
【０１５７】
該装置は、さらに、以下のものを含む。
【０１５８】
第三受信ユニット（図示せず；オプション）：ネットワーク装置送信の第一指示情報を受信し、該第一指示情報は、該端末装置に該第二BWPを指示し、該確定ユニットは、該第一指示情報に基づいて、使用される該第二BWPを確定する。
【０１５９】
本実施例では、該装置は、さらに、以下のものを含んでも良い。
【０１６０】
第二処理ユニット（図示せず；オプション）：該第二BWP上でシステム情報を受信した後に、アクティブなBWPを該第一BWP又は該第三BWPに変え、又は、該第二BWPをインアクティブにし；又は、
ネットワーク装置設定の間隙の終了時に、アクティブなBWPを該第一BWP又は該第三BWPに変え、又は、該第二BWPをインアクティブにし；又は、
次の1つのシステム情報の変更周期の境界のところで、アクティブなBWPを該第一BWP又は該第三BWPに変え、又は、該第二BWPをインアクティブにし；又は、
該第二BWPに停留し；又は、
ネットワーク装置の指示を受信した又はBWPタイマーが切れた後に、該第二BWPをインアクティブにする。
【０１６１】
本実施例では、該所定のトリガー条件は、以下のものを含む。
【０１６２】
該ページングメッセージを受信したとき；又は、
該ページングメッセージを受信したとき、且つ次の1つのシステム情報の変更周期が到来する境界にあるとき；又は、
該ページングメッセージを受信しており、且つ該ページングメッセージにより、さらに、該端末装置が所定期間後に、更新されるシステム情報を受信することを指示しているとき；又は、
該ページングメッセージを受信しており、且つBWPタイマーが切れた後；又は、
該ページングメッセージを受信しており、且つネットワーク装置がUEのために設定する間隙内にあるときである。
【０１６３】
例えば、該ページングメッセージに、システム情報がETWS／CMASであることを指示する通知情報が含まれるときに、該所定のトリガー条件は、「該ページングメッセージを受信したとき」である。
【０１６４】
例えば、所定のトリガー条件が「該ページングメッセージを受信しており、且つ該ページングメッセージにより、さらに、該端末装置が所定期間後に、更新されるシステム情報を受信することを指示しているとき」であり、該端末装置が1つ又は少なくとも2つの所定期間の情報を有するときに、該端末装置は、少なくとも1つの所定期間のうちから該所定期間を選択する。
【０１６５】
例えば、所定のトリガー条件が「該ページングメッセージを受信しており、且つネットワーク装置がUEのために設定する間隙内にあるとき」である場合、該装置は、さらに、以下のものを含む。
【０１６６】
第四受信ユニット（図示せず；オプション）：ネットワーク装置送信の間隙設定情報を受信し、該間隙設定情報は、次のような情報のうちの少なくとも1つを含み、即ち、該間隙の周期、オフセット及び持続時間である。
【０１６７】
本実施例では、該装置は、さらに、以下のものを含んでも良い。
【０１６８】
第一メッセージ送信ユニット（図示せず；オプション）：ネットワーク装置に第一メッセージを送信し、該第一メッセージは、該第二BWPを指示し；及び／又は、
第二メッセージ送信ユニット（図示せず；オプション）：ネットワーク装置に第二メッセージを送信し、該第二メッセージは、端末装置が該第二BWPにハンドオーバーし又は端末装置が該第二BWPをアクティブにすることを指示する。
【０１６９】
上述の実施例から分かるように、異なるBWP上でページングメッセージ及び更新されるシステム情報を送信することで、システムにおいて、更新されるシステム情報を送信するためのシグナリングオーバーヘッドを節約することができる。
【実施例８】
【０１７０】
本実施例は、さらに、端末装置を提供し、該装置が問題を解決する原理が実施例2における方法と同様であるから、その具体的な実施については、実施例2における方法の実施を参照することができ、ここでは、内容が同じである重複説明を省略する。
【０１７１】
本実施例では、さらに、端末装置（図示せず）が提供され、該端末装置には、前述のようなシステム情報取得装置1100が構成される。
【０１７２】
本実施例は、さらに、端末装置を提供し、図12は、本発明の実施例12における端末装置の構成を示す図である。図12に示すように、端末装置1200は、中央処理装置（CPU）1201及び記憶器1202を含んでも良く、記憶器1202は、中央処理装置1201に接続される。そのうち、該記憶器1202は、各種のデータを記憶することができ、また、データ処理用のプログラムをさらに記憶することができ、且つ中央処理装置1201の制御下で該プログラムを実行することで、システム情報の取得を行うことができる。
【０１７３】
1つの実施方式では、装置1100の機能が中央処理装置1201に集積されても良い。そのうち、中央処理装置1201は、実施例2に記載のシステム情報取得方法を実現するように構成されても良い。
【０１７４】
例えば、中央処理装置1201は、次のように構成されても良く、即ち、第一BWP上でページングメッセージを受信し、該ページングメッセージにはシステム情報の変更を指示する指示情報が含まれ；第二BWP上で、更新されるシステム情報を受信し；そのうち、該第一BWPは、第二BWPとは異なる。
【０１７５】
例えば、中央処理装置1201は、さらに、次のように構成されても良く、即ち、所定のトリガー条件が満足されるときに、該端末装置が該第一BWPから該第二BWPにハンドオーバーし、又は、データを受信する第三BWPから該第二BWPにハンドオーバーし、又は、該第二BWPをアクティブにする。
【０１７６】
例えば、中央処理装置1201は、さらに、次のように構成されても良く、即ち、該第二BWPにハンドオーバーし又は該第二BWPをアクティブにした後に、該端末装置が該第二BWP上で、該更新されるシステム情報を受信する。
【０１７７】
例えば、中央処理装置1201は、次のように構成されても良く、即ち、該第二BWPを確定し、例えば、ネットワーク装置が更新されるシステム情報を送信する少なくとも2つの第二BWPのうちから、使用される1つの第二BWPを確定し；又は、ネットワーク装置送信の第一指示情報を受信し、該第一指示情報は、該端末装置に該第二BWPを指示し、該端末装置は、該第一指示情報に基づいて、使用される該第二BWPを確定する。
【０１７８】
例えば、中央処理装置1201は、さらに、次のように構成されても良く、即ち、該第二BWP上でシステム情報を受信した後に、アクティブなBWPを該第一BWP又は該第三BWPに変え又は該第二BWPをインアクティブにし；又は、ネットワーク装置設定の間隙の終了時にアクティブなBWPを該第一BWP又は該第三BWPに変え又は該第二BWPをインアクティブにし；又は、次の1つのシステム情報の変更周期の境界のところでアクティブなBWPを該第一BWP又は該第三BWPに変え又は該第二BWPをインアクティブにし；又は、該第二BWPに停留し；又は、ネットワーク装置の指示を受信した後又はBWPタイマーが切れた後に、第二BWPをインアクティブにする。
【０１７９】
本実施例では、該所定のトリガー条件は、以下のものを含む。
【０１８０】
該ページングメッセージを受信したとき；又は、
該ページングメッセージを受信したとき、且つ次の1つのシステム情報の変更周期が到来する境界のあるとき；又は、
該ページングメッセージを受信しており、且つ該ページングメッセージにより、さらに、該端末装置が所定期間後に、更新されるシステム情報を受信することを指示しているとき；又は、
該ページングメッセージを受信しており、且つBWPタイマーが切れた後；又は、
該ページングメッセージを受信しており、且つネットワーク装置がUEのために設定する間隙内にあるときである。
【０１８１】
該ページングメッセージに、システム情報がETWS／CMASであることを指示する通知情報が含まれるときに、該所定のトリガー条件は、「該ページングメッセージを受信したとき」である。
【０１８２】
例えば、所定のトリガー条件が「該ページングメッセージを受信しており、且つ該ページングメッセージにより、さらに、該端末装置が所定期間後に、更新されるシステム情報を受信することを指示しているとき」である場合、中央処理装置1201は、さらに、次のように構成されても良く、即ち、該端末装置が1つ又は少なくとも2つの所定期間の情報を有するときに、少なくとも1つの所定期間のうちから該所定期間を選択する。
【０１８３】
例えば、所定のトリガー条件が「該ページングメッセージを受信しており、且つネットワーク装置がUEのために設定する間隙内にあるとき」である場合、中央処理装置1201は、さらに、次のように構成されても良く、即ち、ネットワーク装置送信の間隙設定情報を受信し、該間隙設定情報は、該間隙の周期、オフセット及び持続時間のうちの少なくとも1つを含む。
【０１８４】
例えば、中央処理装置1201は、次のように構成されても良く、即ち、ネットワーク装置に第一メッセージを送信し、該第一メッセージは、該第二BWPを指示し；及び／又は、ネットワーク装置に第二メッセージを送信し、該第二メッセージは、該端末装置が該第二BWPにハンドオーバーし又は該端末装置が該第二BWPをアクティブにすることを指示する。
【０１８５】
また、該中央処理装置1201の他の構成方式については、実施例2を参照することができ、ここでは、その詳しい説明を省略する。
【０１８６】
もう1つの実施方式では、上述の装置1100が中央処理装置1201と独立して配置されても良く、例えば、装置1100が、中央処理装置1201に接続されるチップとして構成され、図12に示すシステム情報取得ユニットのように、中央処理装置1201の制御により装置1100の機能を実現しても良い。
【０１８７】
また、図12に示すように、端末装置1200は、さらに、通信モジュール1203、入力ユニット1204、表示器1206、音声処理器1205、アンテナ1207、電源1208などを含んでも良い。そのうち、これらの部品の機能が従来技術と同様であるから、ここでは、その詳しい説明を省略する。なお、端末装置1200は、図12に示す全部の部品を含む必要がない。また、端末装置1200はさらに、図12に無い部品を含んでも良く、これについては、従来技術を参照することができる。
【０１８８】
上述の実施例から分かるように、異なるBWP上でページングメッセージ及び更新されるシステム情報を送信することで、システムにおいて、更新されるシステム情報を送信するためのシグナリングオーバーヘッドを節約することができる。
【実施例９】
【０１８９】
本実施例9は、さらに、システム情報指示送信装置を提供し、該装置が問題を解決する原理が実施例3における方法と同様であるため、その具体的な実施については、実施例3における方法の実施を参照することができ、ここでは、内容が同じである重複説明を省略する。
【０１９０】
図13は、本発明の実施例9におけるシステム情報指示送信装置を示す図である。図13に示すように、該装置1300は、以下のものを含む。
【０１９１】
第六送信ユニット1301：端末装置にBWP設定情報を送信し、該BWP設定情報には該端末装置のために設定される少なくとも1つのBWPの情報が含まれ；
第七送信ユニット1302：該端末装置に指示情報を送信し、該指示情報は、該少なくとも1つのBWPのうちの1つのBWP上でシステム情報の送信がある、又は、システム情報の送信がないことを指示し、或いは、該指示情報は、該端末装置が該少なくとも1つのBWPのうちの1つのBWP上でページングメッセージを受信する、又は、ページングメッセージを受信しないことを指示する。
【０１９２】
本実施例では、該第六送信ユニット1301及び第七送信ユニット1302の具体的な実施方式について、実施例3を参照することができ、ここでは、その詳しい説明を省略する。
【０１９３】
本実施例では、無線リソース制御シグナリングにより該指示情報を送信しても良い。
【０１９４】
本実施例では、該装置は、さらに、以下のものを含んでも良い。
【０１９５】
第八送信ユニット1303（オプション）：該少なくとも1つのBWPのうちの1つのアクティブなBWP上で該端末装置に、更新されるシステム情報を送信する。
【０１９６】
本実施例では、無線リソース制御シグナリングにより、該更新されるシステム情報を送信しても良い。
【０１９７】
上述の実施例から分かるように、ネットワーク装置が端末装置にそのために構成する少なくとも1つのBWPのうちの1つのBWP上でシステム情報の送信があるか、又は、該少なくとも1つのBWPのうちの1つのBWP上でページングメッセージを受信するかを通知することができ、端末装置は、該通知に基づいて、アクティブなBWP上でシステム情報の伝送がないときにページングメッセージを受信しないと確定することができ、これにより、シグナリングのオーバーヘッドを節約することができる。
【実施例１０】
【０１９８】
本実施例10は、ネットワーク装置を提供し、該装置が問題を解決する原理が実施例3における方法と同様であるから、その具体的な実施については、実施例3における方法の実施を参照することができ、ここでは、内容が同じである重複説明を省略する。
【０１９９】
本実施例ではさらに、ネットワーク装置（図示せず）が提供され、該ネットワーク装置には、前述のようなシステム情報指示送信装置1300が構成される。
【０２００】
本実施例10は、さらに、ネットワーク装置を提供し、該装置が問題を解決する原理が実施例3における方法と同様であるから、その具体的な実施については、実施例3における方法の実施を参照することができ、ここでは、内容が同じである重複説明を省略する。図14は、該ネットワーク装置の構成図である。図14に示すように、ネットワーク装置1400は、中央処理装置（CPU）1401及び記憶器1402を含んでも良い。記憶器1402は、中央処理装置1401に接続される。そのうち、該記憶器1402は、各種のデータを記憶することができ、また、データ処理用のプログラム1403をさらに記憶することができ、且つ中央処理装置1401の制御下で該プログラムを実行することで、システム情報指示を送信することができる。
【０２０１】
1つの実施方式では、装置1300の機能が中央処理装置1401に統合されても良い。そのうち、中央処理装置1401は、実施例3に記載のシステム情報指示送信方法を実現するように構成されても良い。
【０２０２】
例えば、中央処理装置1401は、次のように構成されても良く、即ち、端末装置にBWP設定情報を送信し、該BWP設定情報には該端末装置のために設定される少なくとも1つのBWPの情報が含まれ；該端末装置に指示情報を送信し、該指示情報は、該少なくとも1つのBWPのうちの1つのBWP上でシステム情報の送信がある、又は、システム情報の送信がないことを指示し、或いは、該指示情報は、該端末装置が該少なくとも1つのBWPのうちの1つのBWP上でページングメッセージを受信する、又は、ページングメッセージを受信しないことを指示する。
【０２０３】
例えば、中央処理装置1401は、さらに、次のように構成されても良く、即ち、該少なくとも1つのBWPのうちの1つのアクティブなBWP上で該端末装置に、更新されるシステム情報を送信する。
【０２０４】
また、該中央処理装置1401の具体的な構成方式については、実施例3を参照することができ、ここでは、その詳しい説明を省略する。
【０２０５】
もう1つの実施方式では、上述の装置1300は、央処理装置1401と別々で配置されても良く、例えば、装置1300を、中央処理装置1401に接続されるチップとして構成しても良く、図14に示すユニットのように、中央処理装置1401の制御により装置1300の機能を実現しても良い。
【０２０６】
また、図14に示すように、ネットワーク装置1400は、さらに、送受信機1403、アンテナ1404などを含んでも良い。そのうち、これらの部品の機能が従来技術と同様であるため、ここでは、その詳しい説明を省略する。なお、ネットワーク装置1400は、図14に示す全ての部品を含む必要がない。また、ネットワーク装置1400は、さらに、図14に無い部品を含んでも良く、これについては、従来技術を参照することができる。
【０２０７】
上述の実施例から分かるように、ネットワーク装置が端末装置にそのために設定する少なくとも1つのBWPのうちの1つのBWP上でシステム情報の送信があるか、又は、該少なくとも1つのBWPのうちの1つのBWP上でページングメッセージを受信するかを通知することができ、端末装置は、該通知に基づいて、アクティブなBWP上でシステム情報の伝送がないときにページングメッセージを受信しないと確定することができ、これにより、シグナリングのオーバーヘッドを節約することができる。
【実施例１１】
【０２０８】
本実施例11は、システム情報指示取得装置を提供し、該装置が問題を解決する原理が実施例4における方法と同様であるため、その具体的な実施については、実施例4における方法の実施を参照することができ、ここでは、内容が同じである重複説明を省略する。
【０２０９】
図15は、本発明の実施例11におけるシステム情報指示取得装置を示す図である。図15に示すように、該装置1500は、以下のものを含む。
【０２１０】
第五受信ユニット1501：ネットワーク装置送信のBWP設定情報を受信し、該BWP設定情報は、ネットワーク装置が端末装置のために設定する少なくとも1つのBWPの情報を含み；
第六受信ユニット1502：該ネットワーク装置送信の指示情報を受信し、該指示情報は、該少なくとも1つのBWPのうちの1つのBWP上でシステム情報の送信がある、又は、システム情報の送信がないことを指示し、又は、該指示情報は、該端末装置が該少なくとも1つのBWPのうちの1つのBWP上でページングメッセージを受信する、又は、ページングメッセージを受信しないことを指示する。
【０２１１】
本実施例では、該第五受信ユニット1501及び第六受信ユニット1502の具体的な実施方式については、実施例4を参照することができ、ここでは、その詳しい説明を省略する。
【０２１２】
本実施例では、該装置は、さらに、以下のものを含む。
【０２１３】
確定ユニット（図示せず；オプション）：該指示情報に基づいて、アクティブなBWP上でシステム情報の送信がある、又は、システム情報の送信がないことを確定し、或いは、アクティブなBWP上でページングメッセージを受信する、又は、ページングメッセージを受信しないことを確定する。
【０２１４】
本実施例では、該装置は、さらに、以下のものを含む。
【０２１５】
第三処理ユニット（図示せず；オプション）：アクティブなBWP上でシステム情報の送信がない、又は、ページングメッセージを受信しないと確定されたときに、ネットワーク装置送信のページングメッセージの受信を停止する。
【０２１６】
本実施例では、該装置は、さらに、以下のものを含む。
【０２１７】
第七受信ユニット1503（オプション）：システム情報変更時に、アクティブなBWP上で該ネットワーク装置送信の更新されるシステム情報を受信する。
【０２１８】
本実施例では、該装置は、さらに、以下のものを含む。
【０２１９】
記憶ユニット（図示せず；オプション）：該更新されるシステム情報により、記憶されている対応するシステム情報を置換する。
【０２２０】
本実施例では、無線リソース制御シグナリングにより該指示情報を受信しても良く；及び／又は、無線リソース制御シグナリングにより該更新後のシステム情報を受信しても良い。
【０２２１】
上述の実施例から分かるように、ネットワーク装置が端末装置にそのために構成する少なくとも1つのBWPのうちの1つのBWP上でシステム情報の送信があるか、又は、該少なくとも1つのBWPのうちの1つのBWP上でページングメッセージを受信するかを通知することができ、端末装置は、該通知に基づいて、アクティブなBWP上でシステム情報の伝送がないときにページングメッセージを受信しないと確定することができ、これにより、シグナリングのオーバーヘッドを節約することができる。
【実施例１２】
【０２２２】
本実施例は、さらに、端末装置を提供し、該装置が問題を解決する原理が実施例4における方法と同様であるため、その具体的な実施については、実施例4における方法の実施を参照することができ、ここでは、内容が同じである重複説明を省略する。
【０２２３】
本実施例ではさらに、端末装置（図示せず）が提供され、該端末装置には、前述のようなシステム情報指示取得装置1500が構成される。
【０２２４】
本実施例はさらに、端末装置を提供し、図16は、本発明の実施例16における端末装置の構成を示す図である。図16に示すように、端末装置1600は、中央処理装置（CPU）1601及び記憶器1602を含んでも良い。記憶器1602は、中央処理装置1601に接続される。そのうち、該記憶器1602は、各種のデータを記憶することができ、また、データ処理用のプログラムをさらに記憶することができ、且つ中央処理装置1601の制御下で該プログラムを実行することで、システム情報指示を得ることができる。
【０２２５】
1つの実施方式では、装置1500の機能が中央処理装置1601に統合されても良い。そのうち、中央処理装置1601は、実施例4に記載のシステム情報指示取得方法を実現するように構成されても良い。
【０２２６】
例えば、中央処理装置1601は、次のように構成されても良く、即ち、ネットワーク装置送信のBWP設定情報を受信し、該BWP設定情報は、ネットワーク装置が該端末装置のために設定する少なくとも1つのBWPの情報を含み；該ネットワーク装置送信の指示情報を受信し、該指示情報は、該少なくとも1つのBWPのうちの1つのBWP上でシステム情報の送信がある、又は、システム情報の送信がないことを指示し、或いは、該指示情報は、該端末装置が該少なくとも1つのBWPのうちの1つのBWP上でページングメッセージを受信する、又は、ページングメッセージを受信しないことを指示する。
【０２２７】
例えば、中央処理装置1601は、さらに、次のように構成されても良く、即ち、該指示情報に基づいて、アクティブなBWP上でシステム情報の送信がある、又は、システム情報の送信がないことを確定し、或いは、アクティブなBWP上でページングメッセージを受信する、又は、ページングメッセージを受信しないことを確定する。
【０２２８】
例えば、中央処理装置1601は、さらに、次のように構成されても良く、即ち、アクティブなBWP上でシステム情報の送信がない又はページングメッセージを受信しないと確定されたときに、ネットワーク装置送信のページングメッセージの受信を停止する。
【０２２９】
例えば、中央処理装置1601は、さらに、次のように構成されても良く、即ち、システム情報変更時に、アクティブなBWP上で該ネットワーク装置送信の更新されるシステム情報を受信する。
【０２３０】
例えば、中央処理装置1601は、さらに、次のように構成されても良く、即ち、該更新されるシステム情報により、記憶されている対応するシステム情報を置換する。
【０２３１】
本実施例では、無線リソース制御シグナリングにより該指示情報を受信しても良く；及び／又は、無線リソース制御シグナリングにより、該更新後のシステム情報を受信しても良い。
【０２３２】
また、該中央処理装置1601の他の構成方式については、実施例4を参照することができ、ここでは、その詳しい説明を省略する。
【０２３３】
もう1つの実施方式では、上述の装置1500が中央処理装置1601と独立して配置されても良く、例えば、装置1500を、中央処理装置1601に接続されるチップとして構成しても良く、図16に示すシステム情報指示取得ユニットのように、中央処理装置1601の制御により、装置1500の機能を実現しても良い。
【０２３４】
また、図16に示すように、端末装置1600は、さらに、通信モジュール1603、入力ユニット1604、表示器1606、音声処理器1605、アンテナ1607、電源1608などを含んでも良い。そのうち、上述の部品の機能が従来技術と同様であるため、ここでは、その詳しい説明を省略する。なお、端末装置1600は、図16に示す全ての部品を含む必要がない。また、端末装置1600はさらに、図16に無い部品を含んでも良く、これについては、従来技術を参照することができる。
【０２３５】
上述の実施例から分かるように、ネットワーク装置が端末装置にそのために設定する少なくとも1つのBWPのうちの1つのBWP上でシステム情報の送信があるか、又は、該少なくとも1つのBWPのうちの1つのBWP上でページングメッセージを受信するかを通知することができ、端末装置は、該通知に基づいて、アクティブなBWP上でシステム情報の伝送がないときにページングメッセージを受信しないと確定することができ、これにより、シグナリングのオーバーヘッドを節約することができる。
【実施例１３】
【０２３６】
本実施例13は、通信システムを提供し、それは、実施例9におけるネットワーク装置及び実施例11における端末装置を含み、又は、実施例5におけるネットワーク装置及び実施例7における端末装置を含み、その内容は、ここに合併され、ここでは、その詳しい説明を省略する。
【０２３７】
本発明の実施例はさらに、コンピュータ可読プログラムを提供し、そのうち、システム情報送信装置又はネットワーク装置中で前記プログラムを実行するときに、前記プログラムは、前記システム情報送信装置又はネットワーク装置に、実施例1に記載のシステム情報送信方法を実行させる。
【０２３８】
本発明の実施例はさらに、コンピュータ可読プログラムを記憶した記憶媒体を提供し、そのうち、前記コンピュータ可読プログラムは、システム情報送信装置又はネットワーク装置に、実施例1に記載のシステム情報送信方法を実行させる。
【０２３９】
本発明の実施例はさらに、コンピュータ可読プログラムを提供し、そのうち、システム情報取得装置又は端末装置中で前記プログラムを実行するときに、前記プログラムは、前記システム情報取得装置又は端末装置に、実施例2に記載のシステム情報取得方法を実行させる。
【０２４０】
本発明の実施例はさらに、コンピュータ可読プログラムを記憶した記憶媒体を提供し、そのうち、前記コンピュータ可読プログラムは、システム情報取得装置又は端末装置に、実施例2に記載のシステム情報取得方法を実行させる。
【０２４１】
本発明の実施例はさらに、コンピュータ可読プログラムを提供し、そのうち、システム情報指示送信装置又はネットワーク装置中で前記プログラムを実行するときに、前記プログラムは、前記システム情報指示送信装置又はネットワーク装置に、実施例3に記載のシステム情報指示送信方法を実行させる。
【０２４２】
本発明の実施例はさらに、コンピュータ可読プログラムを記憶した記憶媒体を提供し、そのうち、前記コンピュータ可読プログラムは、システム情報指示送信装置又はネットワーク装置に、実施例3に記載のシステム情報指示送信方法を実行させる。
【０２４３】
本発明の実施例はさらに、コンピュータ可読プログラムを提供し、そのうち、システム情報指示取得装置又は端末装置中で前記プログラムを実行するときに、前記プログラムは、前記システム情報指示取得装置又は端末装置に、実施例4に記載のシステム情報指示取得方法を実行させる。
【０２４４】
本発明の実施例はさらに、コンピュータ可読プログラムを記憶した記憶媒体を提供し、そのうち、前記コンピュータ可読プログラムは、システム情報指示取得装置又は端末装置に、実施例4に記載のシステム情報指示取得方法を実行させる。
【０２４５】
また、上述の装置及び方法は、ソフトウェア又はハードウェアにより実現されても良く、ハードウェアとソフトウェアとの組み合わせにより実現されても良い。本発明は、さらに、下記のようなコンピュータ読み取り可能なプログラムに関し、即ち、該プログラムは、ロジック部品により実行されるときに、該ロジック部品に、上述の装置又は構成部品を実現させ、又は、該ロジック部品に、上述の各種の方法又はステップを実現させる。ロジック部品は、例えば、FPGA（Field  Programmable  Gate  Array）、マイクロプロセッサ、コンピュータに用いる処理器などであっても良い。本発明は、さらに、上述のプログラムを記憶した記憶媒体、例えば、ハードディスク、磁気ディスク、光ハードディスク、DVD、フラッシュメモリなどにも関する。
【０２４６】
さらに、図面に記載の機能ブロックのうちの1つ又は複数の組み合わせ及び／又は機能ブロックの1つ又は複数の組み合わせは、本明細書に記載の機能を実行するための汎用処理器、デジタル信号処理器（DSP）、特定用途向け集積回路（ASIC）、フィールドプログラマブルゲートアレイ（FPGA）又は他のプログラム可能な論理部品、ディスクリートゲート又はトランジスタ論理部品、ディスクリートハードウェアアセンブリ又は他の任意の適切な組む合わせとして実現されても良い。また、図面に記載の機能ブロックのうちの1つ又は複数の組み合わせ及び／又は機能ブロックの1つ又は複数の組み合わせは、さらに、計算装置の組み合わせ、例えば、DSP及びマイクロプロセッサの組み合わせ、複数のマイクロプロセッサ、DSPと通信により接続される1つ又は複数のマイクロプロセッサ又は他の任意の構成の組み合わせとして構成されても良い。
【０２４７】
また、以上の複数の実施例などに関し、さらに、以下の付記を開示する。
【０２４８】
（付記1）
システム情報指示送信方法であって、
ネットワーク装置が端末装置にBWP設定情報を送信し、前記BWP設定情報には前記端末装置のために設定される少なくとも1つのBWPの情報が含まれ；及び
前記ネットワーク装置が前記端末装置に指示情報を送信し、前記指示情報は、前記少なくとも1つのBWPのうちの1つのBWP上でシステム情報の送信がある、又は、システム情報の送信がないことを指示し、或いは、前記指示情報は、前記端末装置が前記少なくとも1つのBWPのうちの1つのBWP上でページングメッセージを受信する、又は、ページングメッセージを受信しないことを指示することを含む、方法。
【０２４９】
（付記2）
付記1に記載の方法であって、
無線リソース制御シグナリングにより前記指示情報を送信する、方法。
【０２５０】
（付記3）
付記1に記載の方法であって、
前記ネットワーク装置が前記少なくとも1つのBWPのうちの1つのアクティブなBWP上で前記端末装置に、更新されるシステム情報を送信することをさらに含む、方法。
【０２５１】
（付記4）
付記3に記載の方法であって、
無線リソース制御シグナリングにより、前記更新されるシステム情報を送信する、方法。
【０２５２】
（付記5）
システム情報指示取得方法であって、
ネットワーク装置送信のBWP設定情報を受信し、前記BWP設定情報にはネットワーク装置が前記端末装置のために設定する少なくとも1つのBWPの情報が含まれ；及び
前記ネットワーク装置送信の指示情報を受信し、前記指示情報は、前記少なくとも1つのBWPのうちの1つのBWP上でシステム情報の送信がある、又は、システム情報の送信がないことを指示し、或いは、前記指示情報は、前記端末装置が前記少なくとも1つのBWPのうちの1つのBWP上でページングメッセージを受信する、又は、ページングメッセージを受信しないことを指示することを含む、方法。
【０２５３】
（付記6）
付記5に記載の方法であって、
前記端末装置が前記指示情報に基づいてアクティブなBWP上でシステム情報の送信がある、又は、システム情報の送信がないことを確定し、或いは、アクティブなBWP上でページングメッセージを受信する、又は、ページングメッセージを受信しないことを確定することをさらに含む、方法。
【０２５４】
（付記7）
付記6に記載の方法であって、
アクティブなBWP上でシステム情報の送信がない、又は、ページングメッセージを受信しないと確定されるときに、前記端末装置は、ネットワーク装置送信のページングメッセージを受信することを停止することをさらに含む、方法。
【０２５５】
（付記8）
付記6に記載の方法であって、
システム情報変更時に、アクティブなBWP上で前記ネットワーク装置送信の更新されるシステム情報を受信することをさらに含む、方法。
【０２５６】
（付記9）
付記8に記載の方法であって、
前記更新されるシステム情報により、記憶されている対応するシステム情報を置換することをさらに含む、方法。
【０２５７】
（付記10）
付記6に記載の方法であって、
無線リソース制御シグナリングにより前記指示情報を受信し；及び／又は
無線リソース制御シグナリングにより、前記更新後のシステム情報を受信する、方法。
【０２５８】
（付記11）
システム情報指示送信装置であって、
端末装置にBWP設定情報を送信し、前記BWP設定情報には前記端末装置のために設定される少なくとも1つのBWPの情報が含まれる第六送信ユニット；及び
前記端末装置に指示情報を送信する第七送信ユニットであって、前記指示情報は、前記少なくとも1つのBWPのうちの1つのBWP上でシステム情報の送信がある、又は、システム情報の送信がないことを指示し、或いは、前記指示情報は、前記端末装置が前記少なくとも1つのBWPのうちの1つのBWP上でページングメッセージを受信する、又は、ページングメッセージを受信しないことを指示する第七送信ユニットを含む、装置。
【０２５９】
（付記12）
付記11に記載の装置であって、
無線リソース制御シグナリングにより、前記指示情報を送信する、装置。
【０２６０】
（付記13）
付記11に記載の装置であって、
前記少なくとも1つのBWPのうちの1つのアクティブなBWP上で前記端末装置に、更新されるシステム情報を送信する第八送信ユニットをさらに含む、装置。
【０２６１】
（付記14）
付記13に記載の装置であって、
無線リソース制御シグナリングにより、前記更新されるシステム情報を送信する、装置。
【０２６２】
（付記15）
システム情報指示取得装置であって、
ネットワーク装置送信のBWP設定情報を受信し、前記BWP設定情報にはネットワーク装置が端末装置のために設定する少なくとも1つのBWPの情報が含まれる第五受信ユニット；及び
前記ネットワーク装置送信の指示情報を受信する第六受信ユニットであって、前記指示情報は、前記少なくとも1つのBWPのうちの1つのBWP上でシステム情報の送信がある、又は、システム情報の送信がないことを指示し、或いは、前記指示情報は、前記端末装置在前記少なくとも1つのBWPのうちの1つのBWP上ページングメッセージを受信する、又は、ページングメッセージを受信しないことを指示する第六受信ユニットを含む、装置。
【０２６３】
（付記16）
付記15に記載の装置であって、
前記指示情報に基づいて、アクティブなBWP上でシステム情報の送信がある、又は、システム情報の送信がないことを確定し、或いは、アクティブなBWP上でページングメッセージを受信する、又は、ページングメッセージを受信しないことを確定する確定ユニットをさらに含む、装置。
【０２６４】
（付記17）
付記16に記載の装置であって、
アクティブなBWP上でシステム情報の送信がない、又は、ページングメッセージを受信しないと確定されるときに、ネットワーク装置送信のページングメッセージを受信することを停止する第三処理ユニットをさらに含む、装置。
【０２６５】
（付記18）
付記16に記載の装置であって、
システム情報変更時に、アクティブなBWP上で前記ネットワーク装置送信の更新されるシステム情報を受信する第七受信ユニットをさらに含む、装置。
【０２６６】
（付記19）
付記18に記載の装置であって、
前記更新されるシステム情報により、記憶されている対応するシステム情報を置換する記憶ユニットをさらに含む、装置。
【０２６７】
（付記20）
付記16に記載の装置であって、
無線リソース制御シグナリングにより前記指示情報を受信し；及び／又は
無線リソース制御シグナリングにより前記更新後のシステム情報を受信する、装置。
【０２６８】
（付記21）
システム情報送信方法であって、
ネットワーク装置が第一BWP上でページングメッセージを送信し、前記ページングメッセージにはシステム情報の変更を指示する指示情報が含まれ；及び
前記ネットワーク装置が第二BWP上で、更新されるシステム情報を送信することを含み、
そのうち、前記第一BWPは前記第二BWPとは異なる、方法。
【０２６９】
（付記22）
付記21に記載の方法であって、
前記ネットワーク装置が端末装置に第一指示情報を送信することをさらに含み、前記第一指示情報は、前記端末装置に前記第二BWPを指示するために用いられる、方法。
【０２７０】
（付記23）
付記21に記載の方法であって、
前記ネットワーク装置が前記端末装置送信の第一メッセージを受信することをさらに含み、前記第一メッセージは、前記第二BWPを指示するために用いられる、方法。
【０２７１】
（付記24）
付記21に記載の方法であって、
前記ネットワーク装置が端末装置送信の第二メッセージを受信することをさらに含み、前記第二メッセージは、前記端末装置が前記第二BWPにハンドオーバーすること、又は、前記端末装置が前記第二BWPをアクティブにすることを指示するために用いられる、方法。
【０２７２】
（付記25）
付記21に記載の方法であって、
前記ネットワーク装置が前記第二BWP上でデータを送信することをさらに含む、方法。
【０２７３】
（付記26）
付記21に記載の方法であって、
前記ページングメッセージはさらに、前記端末装置が所定期間後に、前記更新されるシステム情報を受信することを指示する、方法。
【０２７４】
（付記27）
付記26に記載の方法であって、
前記所定期間は、前記ページングメッセージにより指示され、又は、前記所定期間は、定義又は事前設定される、方法。
【０２７５】
（付記28）
付記26に記載の方法であって、
前記ページングメッセージはさらに、前記端末装置が所定期間後に前記第二BWPにハンドオーバーし又は前記第二BWPをアクティブにし、また、前記第二BWP上で前記更新されるシステム情報を受信することを指示する、方法。
【０２７６】
（付記29）
付記27に記載の方法であって、
前記ページングメッセージに含まれる所定期間は、少なくとも1つの他のBWP上で送信されるページングメッセージに含まれる所定期間と同じであり又は異なる、方法。
【０２７７】
（付記30）
付記21に記載の方法であって、
前記ネットワーク装置が前記端末装置に端末装置間隙設定情報を送信することをさらに含み、前記間隙設定情報は、前記間隙の周期、オフセット及び持続時間のうちの少なくとも1つを含み、前記間隙は、前記端末装置が前記間隙内で前記第二BWPにハンドオーバーし又は前記第二BWPをアクティブにするために用いられる、方法。
【０２７８】
（付記31）
システム情報取得方法であって、
第一BWP上でページングメッセージを受信し、前記ページングメッセージにはシステム情報の変更を指示する指示情報が含まれ；及び
第二BWP上で、更新されるシステム情報を受信することを含み、
そのうち、前記第一BWPは第二BWPとは異なる、方法。
【０２７９】
（付記32）
付記31に記載の方法であって、
所定のトリガー条件が満足されるときに、前記端末装置が前記第一BWPから前記第二BWPにハンドオーバーし、又は、データを受信する第三BWPから前記第二BWPにハンドオーバーし、又は、前記第二BWPをアクティブにすることをさらに含む、方法。
【０２８０】
（付記33）
付記32に記載の方法であって、
前記第二BWPにハンドオーバーした後又は前記第二BWPをアクティブにした後に、前記端末装置は、前記第二BWP上で前記更新されるシステム情報を受信する、方法。
【０２８１】
（付記34）
付記31に記載の方法であって、
前記第二BWPを確定することをさらに含み、
前記第二BWPを確定することは、
前記端末装置が、ネットワーク装置が更新されるシステム情報を送信する少なくとも2つの第二BWPのうちから、使用される1つの第二BWPを確定し；又は、
端末装置がネットワーク装置送信の第一指示情報を受信し、前記第一指示情報が前記端末装置に前記第二BWPを指示するために用いられ、前記端末装置が前記第一指示情報に基づいて、使用される前記第二BWPを確定することを含む、方法。
【０２８２】
（付記35）
付記32に記載の方法であって、
前記第二BWP上でシステム情報を受信した後に、前記方法は、
アクティブなBWPを前記第一BWP又は前記第三BWPに変え、或いは、前記第二BWPをインアクティブにし；又は、
ネットワーク装置設定の間隙の終了時に、アクティブなBWPを前記第一BWP又は前記第三BWPに変え、或いは、前記第二BWPをインアクティブにし；又は、
次の1つのシステム情報の変更周期の境界のところでアクティブなBWPを前記第一BWP又は前記第三BWPに変え、或いは、前記第二BWPをインアクティブにし；又は、
前記第二BWPに停留し；又は、
ネットワーク装置の指示を受信した後又はBWPタイマーが切れた後に、前記第二BWPをインアクティブにすることを含む、方法。
【０２８３】
（付記36）
付記31乃至34のうちの任意の1項に記載の方法であって、
前記所定のトリガー条件は、
前記ページングメッセージを受信したとき；又は、
前記ページングメッセージを受信したとき、且つ次の1つのシステム情報の変更周期が到来する境界にあるときに；又は、
前記ページングメッセージを受信しており、且つ前記ページングメッセージにより、さらに、前記端末装置が所定期間後に、更新されるシステム情報を受信することを指示しているとき；又は、
前記ページングメッセージを受信しており、且つBWPタイマーが切れた後；又は、
前記ページングメッセージを受信しており、且つネットワーク装置がUEのために設定する間隙内にあるときを含む、方法。
【０２８４】
（付記37）
付記36に記載の方法であって、
前記ページングメッセージに、システム情報がETWS／CMASであることを指示する通知情報時が含まれるときに、前記所定のトリガー条件は、「前記ページングメッセージ受信したとき」である、方法。
【０２８５】
（付記38）
付記36に記載の方法であって、
所定のトリガー条件が、「前記ページングメッセージを受信しており、且つ前記ページングメッセージにより、さらに、前記端末装置が所定期間後に、更新されるシステム情報を受信することを指示しているとき」であり、前記端末装置が1つ又は少なくとも2つの所定期間の情報を有するときに、前記端末装置は、少なくとも1つの所定期間のうちから前記所定期間を選択する、方法。
【０２８６】
（付記39）
付記36に記載の方法であって、
所定のトリガー条件が、「前記ページングメッセージを受信しており、且つネットワーク装置がUEのために設定する間隙内にあるとき」である場合、前記方法は、
前記端末装置がネットワーク装置送信の間隙設定情報を受信することをさらに含み、
前記間隙設定情報は、前記間隙の周期、オフセット及び持続時間のうちの少なくとも1つを含む、方法。
【０２８７】
（付記40）
付記31に記載の方法であって、
ネットワーク装置に第一メッセージを送信し、前記第一メッセージが前記第二BWPを指示するために用いられ；及び／又は、
ネットワーク装置に第二メッセージを送信し、前記第二メッセージが、前記端末装置が前記第二BWPにハンドオーバーし又は前記端末装置が前記第二BWPをアクティブにすることを指示するために用いられることを含む、方法。
【０２８８】
以上、本発明の好ましい実施形態を説明したが、本発明はこのような実施形態に限定されず、本発明の趣旨を離脱しない限り、本発明に対するあらゆる変更は本発明の技術的範囲に属する。
【図１】
2021507572.tif 000003
【図２】
2021507572.tif 000004
【図３】
2021507572.tif 000005
【図４】
2021507572.tif 000006
【図５】
2021507572.tif 000007
【図６】
2021507572.tif 000008
【図７】
2021507572.tif 000009
【図８】
2021507572.tif 000010
【図９】
2021507572.tif 000011
【図１０】
2021507572.tif 000012
【図１１】
2021507572.tif 000013
【図１２】
2021507572.tif 000014
【図１３】
2021507572.tif 000015
【図１４】
2021507572.tif 000016
【図１５】
2021507572.tif 000017
【図１６】
2021507572.tif 000018
【手続補正書】
【提出日】令和2年6月23日(2020.6.23)
【手続補正１】
【補正対象書類名】特許請求の範囲
【補正対象項目名】全文
【補正方法】変更
【補正の内容】
【特許請求の範囲】
【請求項１】
システム情報指示を送信する方法であって、
ネットワーク装置が端末装置にBWP（Bandwidth  Part）設定情報及び指示情報を送信することを含み、
前記BWP設定情報は、前記端末装置のために設定される少なくとも1つのBWPの情報を含み、
前記指示情報は、前記少なくとも1つのBWPのうちの1つのBWP上でシステム情報の送信があること、又は、システム情報の送信がないことを指示するために用いられる、方法。
【請求項２】
請求項1に記載の方法であって、
無線リソース制御シグナリングにより前記指示情報を送信する、方法。
【請求項３】
請求項1に記載の方法であって、
1つのアクティブなBWP上でシステム情報のブロードキャストがないときに、前記ネットワーク装置が、前記少なくとも1つのBWPのうちの前記1つのアクティブなBWP上で前記端末装置に、更新されるシステム情報を送信することをさらに含む、方法。
【請求項４】
請求項3に記載の方法であって、
無線リソース制御シグナリングにより前記更新されるシステム情報を送信する、方法。
【請求項５】
請求項1に記載の方法であって、
前記指示情報はさらに、前記端末装置が前記少なくとも1つのBWPのうちの1つのBWP上でページングメッセージを受信すること、又は、ページングメッセージを受信しないことを指示するために用いられる、方法。
【請求項６】
ネットワーク装置であって、
複数の指令を記憶しているメモリ；及び
前記メモリに接続されるプロセッサを含み、
前記プロセッサは、前記指令を実行することにより、端末装置にBWP（Bandwidth  Part）設定情報及び指示情報を送信するように構成され、
前記BWP設定情報は、前記端末装置のために設定される少なくとも1つのBWPの情報を含み、
前記指示情報は、前記少なくとも1つのBWPのうちの1つのBWP上でシステム情報の送信があること、又は、システム情報の送信がないことを指示するために用いられる、装置。
【請求項７】
請求項6に記載のネットワーク装置であって、
無線リソース制御シグナリングにより前記指示情報を送信する、装置。
【請求項８】
請求項6に記載のネットワーク装置であって、
前記プロセッサはさらに、前記指令を実行することにより、
1つのアクティブなBWP上でシステム情報のブロードキャストがないときに、前記少なくとも1つのBWPのうちの前記1つのアクティブなBWP上で前記端末装置に、更新されるシステム情報を送信するように構成される、装置。
【請求項９】
請求項8に記載のネットワーク装置であって、
無線リソース制御シグナリングにより前記更新されるシステム情報を送信する、装置。
【請求項１０】
請求項6に記載のネットワーク装置であって、
前記指示情報はさらに、前記端末装置が前記少なくとも1つのBWPのうちの1つのBWP上でページングメッセージを受信すること、又は、ページングメッセージを受信しないことを指示するために用いられる、装置。
【請求項１１】
端末装置であって、
複数の指令を記憶しているメモリ；及び
前記メモリに接続されるプロセッサを含み、
前記プロセッサは、前記指令を実行することにより、ネットワーク装置が送信するBWP（Bandwidth  Part）設定情報及び指示情報を受信するように構成され、
前記BWP設定情報は、前記ネットワーク装置が前記端末装置のために設定する少なくとも1つのBWPの情報を含み、
前記指示情報は、前記少なくとも1つのBWPのうちの1つのBWP上でシステム情報の送信があること、又は、システム情報の送信がないことを指示するために用いられる、装置。
【請求項１２】
請求項11に記載の端末装置であって、
前記指示情報はさらに、前記端末装置が前記少なくとも1つのBWPのうちの1つのBWP上でページングメッセージを受信すること、又は、ページングメッセージを受信しないことを指示するために用いられる、装置。
【請求項１３】
請求項11に記載の端末装置であって、
前記プロセッサはさらに、前記指示情報に基づいて、アクティブなBWP上でシステム情報の送信があること、又は、システム情報の送信がないことを確定するように構成される、装置。
【請求項１４】
請求項12に記載の端末装置であって、
前記プロセッサはさらに、前記指示情報に基づいて、アクティブなBWP上でページングメッセージを受信すること、又は、ページングメッセージを受信しないことを確定するように構成される、装置。
【請求項１５】
請求項11に記載の端末装置であって、
前記プロセッサはさらに、前記指令を実行することにより、
アクティブなBWP上でシステム情報の送信がないと確定されるときに、ネットワーク装置により送信されるページングメッセージを受信することを停止するように構成される、装置。
【請求項１６】
請求項12に記載の端末装置であって、
前記プロセッサはさらに、前記指令を実行することにより、
アクティブなBWP上でページングメッセージを受信しないと確定されるときに、ネットワーク装置により送信されるページングメッセージを受信することを停止するように構成される、装置。
【請求項１７】
請求項11に記載の端末装置であって、
前記プロセッサはさらに、前記指令を実行することにより、
システム情報変更時に、アクティブなBWP上で前記ネットワーク装置により送信される、更新されるシステム情報を受信するように構成される、装置。
【請求項１８】
請求項17に記載の端末装置であって、
前記プロセッサは、前記更新されるシステム情報により、記憶されている、対応するシステム情報に置換するように構成される、装置。
【請求項１９】
請求項11に記載の端末装置であって、
無線リソース制御シグナリングにより前記指示情報を受信し；及び／又は
無線リソース制御シグナリングにより前記更新後のシステム情報を受信する、装置。
【国際調査報告】
2021507572.tif 000019
2021507572.tif 000020
2021507572.tif 000021
2021507572.tif 000022